【事件の表示】
　上記当事者間の特許第４００８３０２号発明「ロータリーディスクタンブラー錠及び鍵」の特許無効審判事件について、次のとおり審決する。
【結　論】
　本件審判の請求は、成り立たない。
　審判費用は、請求人の負担とする。
【理　由】
第１　事案の概要
　本件は、請求人が、被請求人が特許権者である特許第４００８３０２号（以下「本件特許」という。平成１４年８月５日出願、平成１９年９月７日登録、請求項の数は３である。）の請求項２に係る発明についての特許を無効にすることを求める事案である。
第２　手続の経緯
　本件の手続の経緯は、以下のとおりである。
平成１４年　８月　５日　本件出願（特願２００２−２２６８３３号、優先権主張番号：特願２００１−３１６８８５号、優先日：平成１３年１０月１５日）
平成１９年　９月　７日　本件特許の設定登録（特許第４００８３０２号）
平成２３年１０月２７日　訂正審判請求（訂正２０１１−３９０１１８号）
平成２３年１２月２０日　訂正審判審決（訂正を認める。）
平成２４年　４月　２日　訂正を認める審決の確定の通知書
平成２７年　２月１９日　本件無効審判請求（無効２０１５−８０００３２号、同年２月２０日差出）
平成２７年　４月２８日　審判事件答弁書
平成２７年　８月　６日　口頭審理陳述要領書（被請求人）
平成２７年　８月　７日　口頭審理陳述要領書（請求人）（同年８月１０日差出）
平成２７年　９月　３日　上申書（請求人）
平成２７年　９月１４日　訂正口頭審理陳述要領書（被請求人）
平成２７年　９月１６日　上申書（請求人）（同年９月１８日差出）
平成２７年　９月１８日　口頭審理
平成２７年１０月　６日　上申書（請求人）
平成２７年１０月　６日　上申書（被請求人）
第３　本件特許発明
　本件特許の請求項２に係る発明（以下「本件特許発明」という。）は、平成２３年１２月２０日の審決（訂正２０１１−３９０１１８号）で訂正することが認められ、確定登録された特許請求の範囲の請求項２に記載された事項により特定される、次のとおりのものである。
「内周面の母線に沿って横断面形状が略Ｖ字形のカム溝を形成した外筒と、
この外筒に回転自在に嵌合し、間隙を介して中心軸線方向に積層された複数の仕切板を設けると共に、中心軸線に沿って鍵孔を貫通させた内筒と、
この内筒の母線に沿って延在し、内筒の外周部において半径方向に移動可能に案内されると共に、上記カム溝と係合する外側縁が外方に突出する方向に付勢されたロッキングバーとを有し、
上記仕切板の間の各スロットに、中央部に前記内筒の中心軸線に関して点対称に形成された鍵孔を包囲し得る大きさの鍵挿通孔２６を形成した環状ロータリーディスクタンブラーを挿設し、
その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し、
一方、鍵挿通孔の開口端縁に、先端の移動軌跡が鍵孔に挿入されたリバーシブルである合鍵のブレードの平面部と干渉する係合突起を一体に突設し、各ロータリーディスクタンブラーをこの係合突起が合鍵に近接する方向に付勢すると共に、常態では内筒を軸線方向に貫通するバックアップピンに係止し、
他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、
鍵孔に挿入されたときロータリーディスクタンブラーの突出量が一定である前記係合突起の先端と整合するブレードの平面部に、有底で複数種類の大きさと深さの摺り鉢形の窪みを形成し、
この窪みが対応する前記係合突起と係合したとき、該タンブラー群が前記摺り鉢形の窪みの深さやブレードの幅方向の位置に対応して揺動角度が変わることにより、各ロータリーディスクタンブラーの解錠切欠がロッキングバーの内側縁と整合するようにし、
以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とするロータリーディスクタンブラー錠用の鍵。」
第４　請求人の主張及び証拠方法
１　請求人の主張の概要
　請求人は、本件特許発明の特許を無効とする、審判費用は被請求人の負担とする、との審決を求め、その理由として、概ね以下のとおり主張し（審判請求書、平成２７年８月７日付け口頭審理陳述要領書、同年９月３日付け上申書、同年９月１６日付け上申書、及び同年１０月６日付け上申書を参照。また、第１回口頭審理調書も参照。）、証拠方法として甲第１号証ないし甲第２６号証を提出している。
（１）本件特許発明は、甲第１号証に記載された発明、甲第２号証ないし甲第４号証に記載された周知技術、並びに甲第２号証、甲第６号証及び甲第８号証に記載された周知技術に基づいて当業者が容易に発明をすることができたものであるから、特許法第２９条第２項の規定により特許を受けることができないものであり、同法第１２３条第１項第２号に該当し、本件特許発明についての特許は無効とすべきである（以下「無効理由１」という。）。
（２）本件特許発明は、甲第２号証に記載された発明、甲第１号証、甲第６号証、甲第１４号証及び甲第１５号証に記載された周知技術、甲第１号証、甲第５号証及び甲第１３号証ないし甲第１８号証に記載された周知技術、甲第１号証及び甲第５号証に記載された周知技術、並びに甲第６号証ないし甲第１２号証に記載された周知技術に基づいて当業者が容易に発明をすることができたものであるから、特許法第２９条第２項の規定により特許を受けることができないものであり、同法第１２３条第１項第２号に該当し、本件特許発明についての特許は無効とすべきである（以下「無効理由２」という。）。
（３）本件特許発明は、甲第５号証に記載された発明、甲第１号証、甲第６号証、甲第１４号証及び甲第１５号証に記載された周知技術、甲第２号証ないし甲第４号証に記載された周知技術、甲第２号証、甲第６号証及び甲第８号証に記載された周知技術、並びに甲第１号証及び甲第６号証ないし甲第１２号証に記載された周知技術に基づいて当業者が容易に発明をすることができたものであるから、特許法第２９条第２項の規定により特許を受けることができないものであり、同法第１２３条第１項第２号に該当し、本件特許発明についての特許は無効とすべきである（以下「無効理由３」という。）。
２　証拠方法
　提出された証拠は、以下のとおりである。
甲第１号証：英国特許出願公告第１４１７０５４号明細書
甲第２号証：特開平９−１４４３９８号公報
甲第３号証：実願昭５４−２７５３０号〔実開昭５５−１２８８４８〕のマイクロフイルム：
甲第４号証：特公昭６０−６４３２号公報
甲第５号証：米国特許第３、９２８、９９２号明細書
甲第６号証：実公平６−２８６１６号公報
甲第７号証：実公昭５５−３２９９８号公報
甲第８号証：意匠登録第９６５６９７号公報
甲第９号証：意匠登録第１１１０３５６号公報
甲第１０号証：実願昭５７−１４９６２８号（実開昭５９−５１９５８号）のマイクロフイルム）
甲第１１号証：実願平４−８９００７号（実開平６−５１４４３号）のＣＤ−ＲＯＭ
甲第１２号証：実公昭５１−１５７３０号公報
甲第１３号証：特開２０００−９６８８９号公報
甲第１４号証：特開昭６２−１９４３７４号公報
甲第１５号証：実願平５−４２７７９号（実開平７−１４０４１号）のＣＤ−ＲＯＭ
甲第１６号証：特開昭６２−１８９２６９号公報
甲第１７号証：特開平６−３４６６３９号公報
甲第１８号証：特開平９−４１７４２号公報
甲第１９号証：「フキ社関連商品カタログＶｏｌ．２」、２００１年１月６日初版発行
甲第２０号証：「世界の鍵と錠」（編集・発行；（株）里文出版）、発行日；平成１３年６月１８日
甲第２１号証：「進歩性判断の現況とその応用可能性（２・完）」、著者；時井真、知的財産法政策学研究Ｖｏｌ．４２（２０１３）、Ｐ１７３〜Ｐ１９４
甲第２２号証：７０店の複製キー作成チェーン店「ハロースミス／アレックス」を運営する株式会社関東ホームサービスの代表取締役駒崎政治氏の請求人宛文書のコピー
甲第２３号証：特表平９−５０９８９５号公報
甲第２４号証：甲第１９号証に掲載されたニカバキーの写真の拡大写真
甲第２５号証：「ＭＩＷＡ　ＬＯＣＫ　ＰＲＯＤＵＣＴＳ　総合カタログ　１９９９−２０００」の表紙、５６頁及び５２７頁のコピー、並びに５６頁のキー形状の拡大コピー
甲第２６号証：「『ＣＰ−Ｃ』錠型式認定ニュース　２００１年８月３０日号　Ｎｏ．４号」のコピー
３　請求人の具体的な主張
（１）無効理由１について
　ア　本件特許発明と甲１発明（甲第１号証に記載された発明）との対比
　本件特許発明と甲１発明とを対比すると、両者は、
「内周面の母線に沿って横断面形状が略Ｖ字形のカム溝を形成した外筒と、
　この外筒に回転自在に嵌合し、間隙を介して中心軸線方向に積層された複数の仕切板を設けると共に、中心軸線に沿って鍵孔を貫通させた内筒と、
　この内筒の母線に沿って延在し、内筒の外周部において半径方向に移動可能に案内されると共に、上記カム溝と係合する外側縁が外方に突出する方向に付勢されたロッキングバーとを有し、
　上記仕切板の間の各スロットに、中央部に前記内筒の中心軸線に関して点対称に形成された鍵孔を包囲し得る大きさの鍵挿通孔を形成したロータリーディスクタンブラーを挿設し、
　ロータリーディスクタンブラーの実体部であり、円弧の一部をなす自由端部外側端縁に解錠切欠を形成し、
　一方、鍵挿通孔の開口端縁に、先端の移動軌跡が鍵孔に挿入された合鍵のブレードの平面部と干渉する係合突起を一体に突設し、
　各ロータリーディスクタンブラーをこの係合突起が合鍵に近接する方向に付勢し、
　他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、
　鍵孔に挿入されたときロータリーディスクタンブラーの突出量が一定である前記係合突起の先端と整合するブレードの平面部に、有底で複数種類の大きさと深さの摺り鉢形の窪みを形成し、
　この窪みが対応する前記係合突起と係合したとき、該タンブラー群が前記摺り鉢形の窪みの深さやブレードの幅方向の位置に対応して揺動角度が変わることにより、各ロータリーディスクタンブラーの解錠切欠がロッキングバーの内側縁と整合するようにし、
　以て、合鍵と一体的に内筒を回動させたさせたとき、カム溝とロッキッグバーとの間に生じる楔作用によりロッキングバーを内筒中心軸方向に移動させ、内筒を外筒に対し相対回動できるようにしたことを特徴とするロータリーディスクタンブラー錠用の鍵。」
である点で一致し、以下の点で相違するか、一応相違する。
＜相違点１＞
　本件特許発明の鍵の錠では、「その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し」ているのに対し、
　甲１発明の鍵の錠では、「本件特許のロータリーディスクタンブラーに相当するセキュリティ・メンバー２１（security member２１）を本件特許の内筒に相当するバレル（barrel）１３の中心軸に対して回動可能に支持するとともに、セキュリティ・メンバー２１の円弧の一部をなす外側端縁に本件特許発明の解錠切欠に相当するnotch（ノッチ）２１ｂを形成している」点。
＜相違点２＞
　本件特許発明は「リバーシブルである合鍵」であるのに対し、甲１発明は、「リバーシブルであるか否か不明であるkey（鍵）１６」である点。
＜相違点３＞
　本件特許発明の鍵の錠では「常態では内筒を軸線方向に貫通するバックアップピンに係止し」ているのに対し、甲１発明の鍵の錠では「常態ではbarrel（バレル）１３をstop means（停止手段）としてのcarrier（キャリア）２２のshoulder（肩部）に係止している点。
　イ　相違点についての検討・容易性判断
（ア）相違点１及び相違点３について
　相違点１及び３については、本件特許発明は「鍵」であり、錠の構成である支軸やバックアップピンによって鍵の構成に差異が生じるものではないから、実質的に相違点ではない。なお、これらの相違点１及び相違点３に係る構成は、いずれも甲第２〜４号証に記載されている周知技術である。
（イ）相違点２について
　鍵がリバーシブルであることは、従来周知慣用の技術（甲第２号証、甲第６号証、甲第８号証）であって、この周知慣用技術を甲１発明に適用することは当業者にとって容易である。
（ウ）本件特許発明の作用効果について
　本件特許発明の作用効果についても、次に述べるように特段の効果は全く認められない。
　「窪みの深さによって鍵違いを得るようにしたので、一の窪み２５と隣接する他の窪み２５の間隔を従来の鍵溝間のそれより短くすることができる」（段落【００７１】）は、甲１発明や「摺り鉢形の窪み」の周知技術（甲第５〜１０号証）で既に達成されていた作用効果である。
　「ロータリーディスクタンブラーの係合突起の突出量を一定にする場合でも、或いは変化させる場合でも、窪みの深さに応じてその中心位置をブレードの幅方向、或いはブレードの端縁部の幅方向において微妙に変化させなくてはならないので、合鍵の複製が困難になり、錠前としての安全性が向上する」（【００７４】）は、甲１発明で既に達成されていた作用効果である。
（エ）無効２０１０−８０００１３号の審決における認定・判断について
　審決において述べられている本件特許発明の構成・作用・効果の大半は、甲１発明の構成・作用・効果と同じであるか、あるいは、本件特許の特許請求の範囲に根拠を有するものではない。
　ウ　むすび
　以上のとおり、本件特許発明は、鍵として新規有用な発明特定事項を全く含まないものであって、甲１発明に周知技術に基づく改変を加えたものに過ぎず、当業者が容易になしえたものである。
　よって、本件特許発明は、甲１発明及び周知技術に基いて、当業者が容易に発明をすることができたものであるから、特許法第２９条第２項の規定により特許を受けることができないものであり、特許法第１２３条第１項第２号に該当し、本件特許は無効とすべきものである。
（２）無効理由２について
　ア　本件特許発明と甲２発明（甲第２号証に記載された発明）との対比
　本件特許発明と甲２発明とを対比すると、両者は、
「内周面の母線に沿って横断面形状が略Ｖ字形のカム溝を形成した外筒と、
　この外筒に回転自在に嵌合し、間隙を介して中心軸線方向に積層された複数の仕切板を設けると共に、中心軸線に沿って鍵孔を貫通させた内筒と、
　この内筒の母線に沿って延在し、内筒の外周部において半径方向に移動可能に案内されると共に、上記カム溝と係合する外側縁が外方に突出する方向に付勢されたロッキングバーとを有し、
　上記仕切板の間の各スロットに、中央部に点対称に形成された鍵孔を包囲し得る大きさの鍵挿通部を形成したロータリーディスクタンブラーを挿設し、
　その実体部の１ヵ所を、内筒を軸線方向に貫通する支軸に揺動可能に軸支すると共に、鍵挿通部を挟んで上記支軸と対峙するロータリーディスクタンブラーの実体部であり、円弧の一部をなす自由端部外側端縁に解錠切欠を形成し、
　一方、鍵挿通部の開口端縁に、先端の移動軌跡が鍵孔に挿入されたリバーシブルである合鍵のブレードと干渉する係合部を一体的に突設し、
　各ロ―タリーディスクタンブラーをこの係合部が合鍵に近接する方向に付勢すると共に、常態では内筒を軸線方向に貫通するバックアップピンに係止し、
　他方、これらのタンブラー群の係合部の夫々が鍵孔に挿通された合鍵のブレードに形成された対応する凹部と係合したとき、各ロータリーディスクタンブラーの解錠切欠がロッキングバーの内側縁と整合するようにしたロータリーディスクタンブラー錠の合鍵であって、
　鍵孔に挿入されたときロータリーディスクタンブラーの突出量が一定である前記係合部の先端と整合するブレードの平面部に、有底で複数種類の大きさと深さの凹部を形成し、
　この凹部が対応する前記係合部と係合したとき、該タンブラー群が前記凹部の深さやブレードの幅方向の位置に対応して揺動角度が変わることにより、各ロータリーディスクタンブラーの解錠切欠がロッキングバーの内側縁と整合するようにし、
　以て、合鍵と一体的に内筒を回動させたとき、カム溝とロッキングバーとの間に生じる楔作用によりロッキングバーを内筒中心軸方向に移動させ、内筒を外筒に対し相対回動できるようにした
　ロータリーディスクタンブラー錠用の鍵。」
である点で一致し、以下の点で相違する。
＜相違点１＞
　本件特許発明では「内筒の中心軸線に関して」点対称に形成されている鍵孔を有する錠用の鍵であるのに対し、甲２発明ではそのような鍵孔を有しているか不明な錠用の鍵である点。
＜相違点２＞
　本件特許発明では、鍵挿通部が「鍵挿通孔」であって、この「鍵挿通孔」を中央部に形成したロータリーディスクタンブラーが「環状ロータリーディスクタンブラー」である錠用の鍵であるのに対して、　甲２発明では、鍵挿通部が「鍵挿通切欠」であって、この「鍵挿通切欠」を中央部に形成したディスクタンブラーが「Ｃ字状のレバータンブラー」である錠用の鍵である点。
＜相違点３＞
　ロータリーディスクタンブラーの解錠切欠とロツキングバーの内側縁とを整合させるための構成について、本件特許発明では、「ロータリーディスクタンブラー」の開口端縁に一体に突設した「係合突起」の、その先端と、合鍵のブレード「平面部」に形成された「摺り鉢形の窪み」との整合により上記整合を行うものであるのに対して、甲２発明では、「Ｃ字状のレバータンブラー」の開口端縁に一体に突設した「係合縁部」と、合鍵のブレードの平面部に形成された「内に凸の曲面及びその両側の誘導斜面より成る刻み」との係合により上記整合を行うものである点。
　イ　相違点についての検討・容易性判断
（ア）相違点１について
　本件特許発明は「鍵」であり、錠の構成である鍵孔の位置によって鍵の構成に差異が生じるものではないから、実質的に相違点ではない。また錠としても従来周知慣用の技術である（甲第１号証、甲第６号証、甲第１４号証、甲第１５号証）。
（イ）相違点２について
　本件特許発明は「鍵」であり、錠の構成であるディスクタンブラーが環状かＣ字状かによって鍵の構成に差異が生じるものではないから、実質的に相違点ではない。また錠としても従来周知慣用の技術である（甲第１号証、甲第５号証、甲第１３〜１８号証）。
（ウ）相違点３について
　鍵のブレードの平面部に形成された「摺り鉢形の窪み」は、甲第６〜１２号証に開示されているように、本件特許出願前から極めてありふれた周知技術にすぎない。また、鍵の技術分野においてきわめてありふれた「摺り鉢形の窪み」を回動運動する「係合突起」と組合せることは、甲第１号証及び甲第５号証に開示されているように周知であり、なんら本件特許発明において新規に提案されたことではない。
　揺動するタンブラーの係合突起と鍵の摺り鉢形の窪み（複数の大きさ・深さ・幅方向の位置を有する）との係合によるタンブラー群の整列開錠という機能・作用・原理の点でも本件特許発明と甲第１号証、甲第５号証記載の技術とは共通しており、この機能・作用・原理の共通性からも、甲２発明に甲第１号証・甲第５号証記載の技術を適用して本件特許発明に至る動機付け・示唆が存在するといえる。
（エ）本件特許発明の作用効果について
　本件特許発明の作用効果についても、次に述べるように特段の効果は全く認められない。
　「窪みの深さによって鍵違いを得るようにしたので、一の窪み２５と隣接する他の窪み２５の間隔を従来の鍵溝間のそれより短くすることができる」は、「摺り鉢形の窪み」の周知技術で既に達成されていた作用効果である。
　「ロータリーディスクタンブラーの係合突起の突出量を一定にする場合でも、或いは変化させる場合でも、窪みの深さに応じてその中心位置をブレードの幅方向、或いはブレードの端縁部の幅方向において微妙に変化させなくてはならないので、合鍵の複製が困難になり、錠前としての安全性が向上する」は、甲１発明や甲５発明で既に達成されていた作用効果である。また、鍵・錠としての作動原理、すなわち「タンブラー係合部の回転軌跡と鍵凹部との交点でタンブラー揺動角度が定まる」を同じくする甲２発明と同質の作用効果である。
　本件特許出願当時（優先日２００１年１０月１５日）において、摺り鉢形のディンプルキーを複製する機械（キーマシン）は、例えば株式会社フキが製造販売していた（甲第１９号証を参照。）。このキーマシンを用いれば、幅方向に位置の異なる複数のディンプルを有するキーも、実用上十分なものが複製されていた。
（オ）無効２０１０−８０００１３号の審決における認定・判断について
　審決において述べられている本件特許発明の構成・作用・効果の大半は、甲２発明あるいは甲１発明や甲５発明などの上記周知技術の構成・作用・効果と同じであるか、あるいは、本件特許の特許請求の範囲に根拠を有するものではない上に本件特許の実施例の図とも矛盾するものである。
　ウ　むすび
　以上のとおり、本件特許発明は、鍵としての作動原理を全く同じくする甲２発明の鍵に、周知技術に基づく改変を加えたものに過ぎず、当業者が容易に発明し得たものである。また、その作用効果も、甲２発明から当然予測できる範囲内であるとともに、甲１発明及び甲５発明と同じ作用効果である。
　よって、本件特許発明は、甲２発明及び周知技術に基いて、当業者が容易に発明をすることができたものであるから、特許法第２９条第２項の規定により特許を受けることができないものであり、特許法第１２３条第１項第２号に該当し、本件特許は無効とすべきものである。
（３）無効理由３について
　ア　本件特許発明と甲５発明（甲第５号証に記載された発明）との対比
　本件特許発明と甲５発明とを対比すると、両者は、
「内周面の母線に沿って横断面形状が略Ｖ字形のカム溝を形成した外筒と、
　この外筒に回転自在に嵌合し、間隙を介して中心軸線方向に積層された複数の仕切板を設けると共に、中心軸線に沿って鍵孔を貫通させた内筒と、
　この内筒の母線に沿って延在し、内筒の外周部において半径方向に移動可能に案内されると共に、上記カム溝と係合する外側縁が外方に突出する方向に付勢されたロッキングバーとを有し、
　上記仕切板の間の各スロットに、中央部に前記内筒に形成された鍵孔を包囲し得る大きさの鍵挿通孔を形成した環状ロータリーディスクタンブラーを挿設し、
　ロータリーディスクタンブラーの円弧の一部をなす自由端部外側端縁に解錠切欠を形成し、
　一方、鍵挿通孔の開口端縁に、先端の移動軌跡が鍵孔に挿入された合鍵のブレードの平面部と干渉する係合突起を一体に突設し、
　各ロータリーディスクタンブラーをこの係合突起が合鍵に近接する方向に付勢すると共に、常態では内筒を軸線方向に貫通するバックアップピンに係止し、
　他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、
　鍵孔に挿入されたときロータリーディスクタンブラーの突出量が一定である前記係合突起の先端と整合するブレードの平面部に、有底で複数種類の深さの摺り鉢形の窪みを形成し、
　この窪みが対応する係合突起と係合したとき、該タンブラー群が前記摺り鉢形の窪みの深さやブレードの幅方向の位置に対応して揺動角度が変わることにより、各ロータリーディスクタンブラーの解錠切欠がロッキングバーの内側縁と整合するようにし、
　以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたことを特徴とするロータリーディスクタンブラー錠用の鍵。」
である点で一致し、以下の点で相違する。
＜相違点１＞
　本件特許発明では、鍵孔が「内筒の中心軸線に関して」点対称に形成されているのに対し、甲５発明では、「内筒の中心軸線に関して」点対称に形成されているか不明である点。
＜相違点２＞
　本件特許発明のロータリーディスクタンブラーは、「その実体部の１ヵ所を、内筒を軸線方向に貫通する支軸に揺動可能に軸支すると共に、鍵挿通孔を挟んで上記支軸と対峙するロータリーディスクタンブラーの実体部であり、円弧の一部をなす自由端部外側端縁に解錠切欠を形成し」ているのに対し、甲５発明では、「ロータリーディスクタンブラーであるlocking disc（ロッキングディスク）５８を、本件特許発明の内筒に相当するlock cylinder（ロックシリンダー）１６に対して回動可能に支持するとともに、ロッキングディスク５８の円弧の一部をなす外側端縁に本件特許発明の解錠切欠に相当するgating notch（ゲイティングノッチ）５０、５０ａを形成している」点。
＜相違点３＞
　本件特許発明は「リバーシブルである合鍵」であるのに対し、甲５発明は、「リバーシブルであるか否か不明であるkey（鍵）８０」」である点。
＜相違点４＞
　本件特許発明は「複数種類の大きさと深さを有する摺り鉢形の窪み」であるのに対し、甲５発明は「窪みの深さは複数であるが、窪みの大きさが複数であるか否か不明である」点。
　イ　相違点についての検討・容易性判断
（ア）相違点１について
　本件特許発明は「鍵」であり、錠の構成である鍵孔によって鍵の構成に差異が生じるものではないから、実質的に相違点ではない。また錠としても従来周知慣用の技術である（甲第１号証、甲第６号証、甲第１４号証、甲第１５号証）。
（イ）相違点２について
　本件特許発明は「鍵」であり、錠の構成である支軸によって鍵の構成に差異が生じるものではないから、実質的に相違点ではない。また錠としても従来周知慣用の技術である（甲第２〜４号証）。
（ウ）相違点３について
　従来周知慣用の技術であり（甲第２号証、甲第６号証、甲第８号証）、適用容易である。
（エ）相違点４について
　ブレードの平面部に摺り鉢形の窪みを有する鍵（ディンプルキー）における「複数種類の大きさと深さを有する窪み」は、甲第１号証、甲第６〜１２号証に記載のように、ディンプルキーにおいて周知の技術である。
　特に、甲第６号証、甲第８号証、甲第１０号証、甲第１１号証及び甲第１２号証には、「深い窪みほど大きい（平面部の表面における窪みの径が大きい）」ことが示されている。
　結局、ブレードの平面部に摺り鉢形の窪みを有する鍵（ディンプルキー）においては、窪みの深さが変われば窪みの大きさ（平面部の表面における窪みの径）も変わるのが技術常識であるので、甲５発明の錠の鍵においても窪みの深さを複数種類設ける結果、窪みの大きさも複数種類になる。また、たとえそうではないとしても、複数種類の大きさと深さを有する窪みはディンプルキーにおける周知技術であり、甲５発明をそのように改変するのは容易である。
（オ）本件特許発明の作用効果について
　本件特許発明の作用効果についても、全て甲５発明で既に達成されていた作用効果であり、特段の効果は全く認められない。
（カ）無効２０１０−８０００１３号の審決における認定・判断について
　審決において述べられている本件特許発明の構成・作用・効果の大半は、甲５発明の構成・作用・効果と同じであるか、あるいは、本件特許の特許請求の範囲に根拠を有するものではない上に本件特許の実施例の図とも矛盾する。
　ウ　むすび
　以上のとおり、本件特許発明は、甲５発明に周知技術に基づく改変を加えたものに過ぎず、当業者が容易になし得たものである。
　よって、本件特許発明は、甲５発明及び周知技術に基いて、当業者が容易に発明をすることができたものであるから、特許法第２９条第２項の規定により特許を受けることができないものであり、特許法第１２３条第１項第２号に該当し、本件特許は無効とすべきものである。
第５　被請求人の主張
１　被請求人の主張の概要
　被請求人は、本件審判請求は成り立たない、審判費用は請求人の負担とする、との審決を求め、請求人の主張に対して、概ね以下のとおり反論している（平成２７年４月２８日付け審判事件答弁書、平成２７年８月６日付け口頭審理陳述要領書、同年９月１４日付け訂正口頭審理陳述要領書、同年９月１７日付け被請求人上申書、及び同年１０月６日付け上申書を参照。）。
２　証拠方法
　提出された証拠は、以下のとおりである。
乙第１号証：知的財産高等裁判所、平成２４年（行ケ）第１０３３９号、平成２５年５月２３日判決（確定審決も含む）
乙第２号証：平成２５年（行ヒ）第３５６号、平成２５年１０月４日の最高裁決定
乙第３号証：判例時報１０８９号：審決取消請求事件、東京高裁昭５１（行ケ）９号、昭５８、６、２０民１３部判決
乙第４号証：判例時報１０８６号：審決取消請求事件、東京高裁昭５６（行ケ）１１５号、昭５８、５、３１民６部判決
乙第５号証：判例時報２０４３号：審決取消請求事件、知的財産高等裁判所平２０（行ケ）１００９６号、平２１．１．２８民３部判決
３　被請求人の具体的な主張
（１）審判事件答弁書（２頁２５行ないし１３頁末行）
　ア　本件特許発明の技術的範囲について
　請求人は、本件特許発明は「鍵」なのであるから、タンブラー錠の構成要素を無視しても構わないという主張である。
　しかしながら、該主張は特許法第７０条の規定等を無視することに繋がり、いわゆるクレームに記載された文言は、「オールエレメントの原則」に晒されるという実務上の経験則に反するものであると、言わざるを得ない。
　イ　本件特許発明に進歩性について
（ア）錠本体の揺動障害子
　本件特許発明の、錠本体を構成するロータリーディスクタンブラー２７（以下、「揺動障害子」という）は、次の４つの要素が有機的に結合しており、しかも、該揺動障害子２７は新規なものであり、慣用又は周知事項のいずれでもない。すなわち、
　ａ　内筒５の鍵穴４を囲む鍵挿通孔２６が形成された環状体であること、
　ｂ　該環状体の実体部の１ヵ所を、前記内筒５を軸線方向に貫通する支軸２３を介して揺動可能に軸支されること、
　ｃ　前記支軸２３と対峙する側に相当する前記実体部の外側端縁に解錠切欠か形成されていること、
　ｄ　合鍵のブレードを挿入しない常態では、前記内筒５を軸線方向に貫通するバックアップピン８で係止されること。
（イ）鍵本体を構成する合鍵
　本件特許発明の、鍵を構成する合鍵２４は、ブレードの平面部に形成されたコード用凹所２５を有し、該コード用凹所２５は、次の２つの要素が有機的に結合しており、しかも、該コード用凹所２５は新規なものであり、慣用又は周知事項のいずれでもない。すなわち、
　ａ　タンブラー群の突出量が一定である各係合突起２９と係合するコード用凹所２５は、すり鉢形の窪みであり、該すり鉢形の窪みは、複数種類の大きさと深さを有するものであり、
　ｂ　さらに、前記タンブラー群が、前記すり鉢形の窪みの「複数種類の大きさ」と「複数種類の深さ」と「ブレードの幅方向の位置」に対応して、その揺動角度が変わるものであること。
（ウ）本件特許発明の効果
　ａ　タンブラー群が、すり鉢形の窪みの「複数種類の大きさ」と「複数種類の深さ」と「ブレードの幅方向の位置」に対応して、その揺動角度が微妙に変わるので、合鍵の複製が困難である（段落【００７４】）。
　ｂ　揺動障害子２７は環状体であるから、該揺動障害子２７の剛性を各段に向上させることができる（段落【００７０】）。
　ｃ　揺動障害子２７の剛性を各段に向上することから、揺動障害子２７が組み込まれる内筒５の軸線方向の厚さを可能な限り薄くすることができるので、内筒の外形寸法に規格上の制約があっても、揺動障害子２７の枚数を増大させることができる（段落【００７２】）。その結果、ブレードの平面部の隣に位置するすり鉢形の窪み同士の間隔を従来の鍵溝間のそれよりも短く設定することができる（段落【００７１】）。よって、鍵違いが大きい鍵を提供することができる（段落【００１６】）。
（エ）各甲号証に対して
　各甲号証には、上記アの「本件特許発明の錠本体の揺動障害子２７」及び上記イの「鍵本体を構成する合鍵２４」の各特徴事項が記載されていない。また、上記アの特徴事項と上記イの特徴事項を結合する旨の記載や示唆（動機付）が全くない。
　そして、本件特許発明は、上記（ア）及び（イ）の特徴事項を結合したことにより、上記（ウ）の効果を有するものであり、加えて、本件特許発明の解決原理が「中心軸の外周面に支持される、或いは内筒の内周面に支持される回動障害子方式」ではなく、「揺動障害子２７の実体部の１ヵ所を支軸２３で軸支する揺動障害子方式」を採用することから、揺動障害子２７の揺動時、他の部材との摩擦抵抗を極力無くすることにより、該揺動障害子２７の揺動を円滑にすることができる（段落【００５２】）。
（オ）甲第１号証に対して
　甲第１号証の窪み２５は、ブレード（シャンク）の側端縁に相当する側部に谷形の鍵溝を形成した普通一般の鍵と略同様であり、審判請求書の第７６頁の「突起２４先端の軌跡と窪みの拡大図」における「仮想線のすり鉢形状の浅い窪み」と「仮想線のすり鉢形状のきわめて深い窪み」のようにはならず、あくまでも実線の如く、側端面まで切欠された切欠状の窪みである。甲第１号証や甲第５号証の回動障害子は、それ自体に形成された切欠状の窪みの深さのみによって揺動角が決まるから、仮に鍵の平面部の幅方向に大きなズレを得ようとするならば、回動障害子２１の突起２４及び被係合部（切欠状の窪み）自体を巨大なものにせざるを得ない。
　本件特許発明は、支軸２３が発明の特定要件であり、該支軸２３と揺動障害子２７の突起２９との位置関係によって、「窪みの位置が深くなるほど外側から内側に向かってズレる」のであるから、甲第１号証の回動障害子２１と本件特許発明の揺動障害子２７とは作用・効果が相違する。
　それ故に、甲第１号証は、本件特許発明の如く、ブレードの平面部に形成された複数種類の大きさ、複数種類の深さのみならず、ブレードの幅方向のすり鉢形状の窪み２５を利用して「窪みの数を増やす」ということはできない。
（カ）甲第２号証に対して
　本件特許発明は、揺動障害子を用いて鍵違いの増大化を図るという本件発明の課題を達成するために、新規構成の環状の揺動障害子２７と、新規構成の合鍵２４の組み合わせにより、少なくとも確定審決が認定した上記（ウ）ａの効果を有することから、甲第２号証にその余の各甲号証を適用しても、進歩性を有するものと認定判断されたものである。
（キ）甲第５号証に対して
　甲第５号証は甲第１号証と同様の類型に属するものであり、環状の回動障害子５８の外周面と内筒１６の内周面との間で摩擦を生じさせて回転させるものであるから、回動障害子５８の良好（安定的）な回転を得るためには、内筒１６の軸線方向に「ある程度の厚み」が要求される。本件特許発明の環状の揺動障害子２７は支軸２３に軸支されるものであるから、甲５の回動障害子５８と比較して、その厚さを抑えることができ、可動障害子の枚数を「１枚」でも増やすことができるという利点がある。
第６　当審の判断
１　各甲号証の記載
（１）甲第１号証
　請求人が無効理由に係る証拠として提出した、本件特許の優先日前に頒布された刊行物である甲第１号証には、次の事項が記載されている（下線は当審で付した。以下同じ。）。
　ア　「A key operable lock according to the invention comprises in combination a body in which is formed a substantially cylindrical cavity having a longitudinally extending recess in its wall, a hollow substantially cylindrical barrel occupying the cavity, said barrel having a longitudinally extending slot in its wall, a longitudinally extending locking bar normally occupying said recess and said slot to prevent relative angular movement between the barrel and the body, means urging the locking bar into said recess, a plurality of disc-like security members disposed within the barrel, stop means for limiting angular movement of each member relative to the barrel, resilient means urging each member angularly towards one limit of its permitted angular movement within the barrel, each of said members having a central aperture into which a projection on the member extends in a substantially circumferential direction for engagement within a depression in the side wall of the shank of a key, each of said members also having a notch in its periphery which will be aligned with the slot in the barrel when its projection is engaged in a depression of appropriate depth in the key, the arrangement being such that when an appropriate key is correctly inserted through the apertures of all the members the projections will all be engaged in depressions of appropriate depth under the influence of the resilient means to bring the notches of the plurality of members into alignment with the slot in the barrel so that when angular movement is imparted to the key the locking bar will be moved from the recess in the body into a position to be accommodated within the slot in the barrel and the plurality of notches in the plurality of members to enable the barrel and members to be moved angularly relative to the body. 」（１頁左欄）１３行〜右欄５４行）
（翻訳）
「本発明による
鍵操作可能な錠は、その壁の長手方向に延びるリセスを有する実質的に円筒形の空洞を形成するボディと、空洞を占める中空の略円筒状でその壁の長手方向に延びるスロットを有するバレルと、バレルとボディとの相対的な回転方向運動を防ぐために通常はリセスとスロットを専有する長手方向に延びるロッキングバーと、リセス内にロッキングバーを引き込む手段と、バレル内に配置されている複数の円盤状のセキュリティ・メンバーと、バレルと各メンバーの相対的な回転方向運動を制限する停止手段と、バレル内での各メンバーの回転方向運動の一つのリミットに向けて各メンバーを付勢する弾性手段とからなり、各メンバーには中央開口があり、その中に鍵のシャンクの側壁の窪み内に係合するための実質的に円周方向に延びる突起を有し、各メンバーはまた、その突起が鍵の適切な深さの窪みに係合すると、バレル内のスロットに位置合わせされるノッチを有し、このような配置において、適切な鍵がすべてのメンバーの開口部を通して正しく挿入されると弾性手段の影響を受けて突起はすべて、適切な深さの窪みに係合され、複数のメンバーのノッチとバレルのスロットは位置合わせされ、回転方向運動が鍵に付与されるとロッキングバーはボディのリセスからバレルのスロットと複数メンバーの複数のノッチの収納されるべき位置に移動し、バレルとメンバーがボディに対して角度移動可能となる
　イ　「In the accompanying drawings:-
……
Figure 4 is a side view of a typical key for use with the illustrated lock,
Figure 5 is a sectional view to an enlarged scale through the assembled lock with the key removed,
Figure 6 is a section on the line 6-6 of Figure 5 but with adjacent security members and carriers omitted for the sake of clarity, and
Figure 7 is a similar view to Figure 5 but showing the key inserted and the barrel partially turned.」（１頁右欄５５行〜７６行）
（翻訳）
「添付の図において：−
……
図４は、図示の錠において使用する典型的な鍵の側面図である。
図５は、鍵を取り去った状態における、組み立てられた錠の拡大断面図である。
図６は、図５の６−６線上の断面側面図であるが、隣接するセキュリティ・メンバーとキャリアは、明瞭化のため省略してある。
及び
図７は、図５と同様の図であるが、挿入された鍵と少し回されたバレルを表示してある。」
　ウ　「Referring to the drawings, there is provided a body 10 in which is formed a substantlally cylindrical cavity having a longitudinally extending recess 11 in its wall. Near the base of the recess 11 is embedded in the body a stripmagnet 12. Moreover, the walls of the recess 11 are inclined or curved to form a bell-mouthed opening for a purpose to be described. Within the cavity in the body 10, is a hollow substantially cylindrical barrel 13 having a longitudinally extending slot formed in its periphery. Occupying the slot is a longitudinally extending ferrous locking bar 14 which normally also occupies the recess 11 under the influence of the magnet 12 as seen in Figure 5. In such position the radial depth of the locking bar 14 extends from the base of the recess 11 to the inner periphery of the barrel 13, and provided that it cannot move radially inwards, will prevent relative angular movement between the barrel and body.」（１頁右欄７７行〜２頁左欄２行）
（翻訳）
「図面を参照すると、その壁に長手方向に延びるリセス１１を有する、実質的に円筒形の空洞が形成されたボディ１０が設けられている。リセス１１の底部の近くには、帯状磁石１２がボディに埋設されている。さらに、
リセス１１の壁は
ベルマウス開口部を形成するように傾斜又は湾曲している
　エ　「In the front of the barrel 13 is a rectangular opening 15 through which a correspondingly rectangular shank of a key 16 can be inserted, the sides of the opening 15 being chamfered to form a lead into the opening.」（２頁左欄３行〜８行）
（翻訳）
「
バレル１３の前面には、矩形の開口１５があり、これを通して、鍵１６の対応する矩形のシャンクを挿入することができ
　オ　「Within the barrel 13 is a pluralitv of disclike security members 21 with each of which is associated one of an equal numberof carriers 22. In the example illustrated there are eight security members 21 and eight carriers 22, although it will be appreciated that more or less security members could beused according to the requirements of the lock.」（２頁左欄１５行〜２２行）
（翻訳）
「バレル１３内には、
複数のディスク状のセキュリティ・メンバー２１があり、それらの各々は、等しい数のキャリア２２のーつと組み合わせられる
　カ　「Each carrier 22 has a central hollow boss 22a about which the associated member 21 is angularly movable, this boss 22a having a segmental portion cut away. Moreover, each carrier 22 has an integral tongue 22b engaging a slot in the barrel 13 to prevent relative angular movement, and a slot 22c in alignment with the longitudinal slot in the barrel 13. Furthermore, each carrier 22 has an aperture 23 of an appropriate shape to receive the shank of a key.」（２頁左欄２３行〜３３行）
（翻訳）
「
各キャリア２２は、組み合わされたメンバー２１がその周りを回転方向に移動可能であるように、切り欠き部分のある中空のボス２２ａを持っている
各キャリア２２は、鍵のシャンクを受け入れるのに適した形状の開口２３を持っている
　キ　「Each security member 21 has a central aperture journalled about the boss 22a of its associated carrier. Moreover, extending into the central aperture in a substantially circumferential direction, and in the region of the segmental cut-away portion of the carrier, is an integral projection 24 which is adapted to engage within one of a plurality of depressions 25 formed in the side walls of the shank of the key 16. The projection 24 is chamfered to form a lead whereby the shank of the key 16 which has a chamfer 16a at its inner end can cam the member 21 angularly as the key is inserted throughthe aperture 23.」（２頁左欄３４行〜４８行）
（翻訳）
「
各セキュリティ・メンバー２１は、その組み合わされるキャリアのボス部２２ａの周りに軸支される中央部開口を有している
　ク　「Each member 21 is spring-loaded in an angular direction relatlve to its carrier 22 by means of a coiled torsion spring 26, one end of which is bent to bear against a shoulder on the boss 22a and the other end of which is bent to be located within a notch 21a in the member 21. Moreover, angular movement of the member 21 relative to the carrier 22 and therefore to the barrel 13 is limited by abutment of the projection 24 with the shoulders of the carrier bounding the segmental cut-away portion, these shoulders acting as stop means.」（２頁左欄４９行〜６１行）
（翻訳）
「各メンバー２１は、一端がボス部２２ａの肩部に対して支えるように曲げられ、他端がメンバー２１のノッチ２１ａ内に配置されるように曲げられるコイル状トーションスプリング２６によって、そのキャリア２２に対して角度方向にバネ荷重が付加されている。加えて、キャリア２２、さらにはバレル１３に対するメンバー２１の角度の移動は、切り欠き部分の周りのキャリアの肩部と突起２４との当接によって制限され、これらの肩部は停止手段として作用する。」
　ケ　「In Figure 5, the member 21 is spring-loaded in a clockwise direction and the arrangement is such that as the key is inserted into the aperture 23, the chamfer 16a on the end of the shank will cam the member 21 in an anti-clockwise direction. Moreover, when the correct key has been inserted the projection 24 will be located in a depression 25 of such depth that a notch 21b (diametrically opposite the notch 21a) will be aligned with the slot 22c in the carrier. In this position if the key is turned as shown in Figure 7, the locking bar 14 will be cammed inwardly by the bell-mouthed opening of the recess 11 to allow the key to turn the member 21, together with the carrier 22 and the barrel 13.」（２頁左欄６２行〜右欄７８行）
（翻訳）
「図５で、メンバー２１は時計回り方向にバネ荷重が付加されており、鍵が開口２３内に挿入される時に、シャンクの端部の面取り部１６ａが、メンバー２１を反時計回り方向にカム案内するような配置になっている。さらに、正しい鍵が挿入されたときに、突起２４は、そのような深さの窪み２５内に位置して、ノッチ２１ｂ（ノッチ２１ａと径方向反対側）はキャリア内のスロット２２ｃと整列する。この位置において、図７に示すように鍵が回されると、ロッキングバー１４は、リセス１１のベルマウス開口部によって内側にカム案内され、鍵が、キャリア２２とバレル１３と一緒に、メンバー２１を回すことができるようになる。」
　コ　「The depressions 25 in the shank of the key 16 are arranged to be of three alternative depths and the arrangement is such that when the correct key is inserted in the lock the notch 21b of each of the security members will bealigned with the slot 22c in its carrier. However, if any one projection 24 is not located in a depression of appropriate depth the locking bar 14 will be prevented from moving radially inwards as an attempt is made to turn the key, with the result that the lock cannot be actuated. It will be appreciated that the angular position of the notch 21b will be determined by the depth of the appropriate depression 25 in the key with which the projection 24 of the member is to engage.」（２頁右欄７９行〜９５行）
（翻訳）
「
鍵１６のシャンクの窪み２５は、３つの深さを選択できるようになっていて
　サ　「In Figures 5 to 7 the projection 24 is located to engage a depression in an upper row of depressions, on one side of the shank. However, the same member 21 can be utilized to engage a depression in a lower row on the opposite side of the key by mounting the member at 180° to the position shown on an alternative form of carrier wherein the segmental cut-out is diametrically opposed to that shown. Similarly, an alternative form of member 21 can be used with another carrier so as to coact with the upper row of depressions on said other side of the key shank. In this instance, the carrier would have the cut-out segmental portion 90° removed from the position shown and the projection 24 would project circumferentially in the opposite direction. Moreover, the member 21 would be angularly spring-loaded in the opposite direction. This member 21 could also be mounted at a position 180° removed from that described to cause the projection 24 to coact with a lower row of depressions in the first mentioned side of the key shank.」（２頁右欄９６行〜１２０行）
（翻訳）
「図５〜図７において、突起２４は、シャンクの一つの側面の上段列の一つの窪みに係合するように配置されている。しかしながら、同じメンバー２１を、部分的切り欠き部分が、図示に対して直径方向で反対の位置にある、キャリアの代替的な形態で示めされた位置に対して１８０°にメンバーを取り付けることによって、鍵の反対側面の下段列の窪みに係合するように、使うことができる。同様に、代替的な形態のメンバー２１は、鍵シャンクの他方の側で上段列の窪みと協働するように、他のキャリアと共に使用することができる。この例では、キャリアは、示された位置から９０°移動した部分的切り欠き部分を有するであろうし、突起２４は円周反対方向に突き出るであろう。さらに、メンバー２１は反対方向に角度的にバネ荷重を付加されるであろう。このメンバー２１はまた、記載された位置から１８０°移動した位置に取り付けることができ、その結果、突起２４は、最初に述べた鍵シャンク側面の下段列の窪みと共働する。」
　シ　「Due to the fact that the key acts upon the projections 24 nearer the centre of the members 21 than the peripheries thereof, the resulting angular movement of the members will cause larger movements of the peripheries of the members, thereby permitting adequate variation in the positioning of the notches 21b, 21a for relatively small variations in the depths of the depressions 25.」（２頁右欄１２７行〜３頁左欄５行）
（翻訳）
「鍵が、メンバー２１の周縁部よりも中央寄りで突起２４に作用するということにより、結果としてのメンバーの回転方向運動が、メンバーの周縁部のより大きな動きを引き起こし、それによって、窪み２５の深さの比較的小さなバリエーションに対して、ノッチ２１ｂ、２１ａの位置決めにおいて適切なバリエーションを可能にする。」
　ス　「By virtue of the fact that the depression in the key shank can be disposed in any one of four alternative positions and can be of any one of, for example, three alternatlve depths, an extremely large number of differs can be obtained for a lock of given size. For example, 48  times as many differs can be obtained with a lock having eight security members 21, as shown, compared with a pin tumbler lock having eight pins and three alternative depths for the notches in the key.」（３頁左欄１３行〜２３行）
（翻訳）
「鍵のシャンクの窪みは、４つの代替的な位置のいずれかに配置することができ、また、例えば３つの代替的な深さのいずれかとすることができるという事実により、所定サイズの錠について、極めて多数の違い（ｄｉｆｆｅｒｓ）を取得することができる。例えば、８本のピン及び鍵におけるノッチの３つの代替的深さを有するピンタンブラー錠と比較して、示されているように、例えば、８枚のセキュリティ・メンバー２１を有する錠について、４の８乗回の違いが得られる。」
　セ　「Furthermore, a lock as above described enables master keyed suites without impairing the security of individual locks. Moreover, with a lock having eight security members 21 as shown, and three alternative depths for the notches in the key 38 master keys each controlIng suites of locks having 48 different combinations can be used, in which no master key will release a lock of another suite. 」（３頁左欄２４行〜３３行）
（翻訳）
「さらに、上述の錠は、個々の錠の安全を損なうことなく、マスター鍵のついた一揃い（master keyed suites）を可能にする。さらに、記載の８つのセキュリティ・メンバー２１と鍵におけるノッチの３つの代替的な深さを有する錠によって、それぞれの４の８乗回の異なる組合せを有する錠の一揃いをコントロールしている、３の８乗のマスター鍵を使うことができ、そこにおいて、マスター鍵は、他の一揃いの錠をあけない。」
　ソ　図４は次のものである。
　タ　図５〜７は次のものである。
　チ　図５〜７をみると、キャリア２２の開口２３がバレル１３の中心軸に沿って貫通し、中心軸に関して点対称に形成されていることがみてとれる。
　ツ　図５及び図６をみると、円盤状のセキュリティ・メンバー２１の実体部であり、円弧の一部をなす外周縁にノッチ２１ｂが形成されていることがみてとれる。
　テ　図６には、鍵１６の平面図が記載されており、窪み２５が２つの半円状の同心円で示されている。また、図７には、鍵１６の断面図が記載されており、窪み２５が傾斜面と底面からからなることがみてとれる。そして、図７及び図６の記載を総合すると、図６に記載された窪み２５は、内側の同心円の内部が窪み２５の底面を意味し、外側の同心円と内側の同心円の間が窪み２５の傾斜面を意味するものと認められる。
　ト　上記テを踏まえて図４をみると、鍵１６のシャンクに、周囲を傾斜面で囲まれた円形の底面を有し、大きさの異なる複数の窪み２５が設けられていることがみてとれる。
　ナ　上記アないしトによると、甲第１号証には、以下の発明が記載されていると認められる（以下「甲１発明」という。）。
「その壁の長手方向に延びるリセス１１を有する実質的に円筒形の空洞を形成するボディ１０と、空洞を占める中空の略円筒状でその壁の長手方向に延びるスロットを有するバレル１３と、バレル１３とボディ１０との相対的な回転方向運動を防ぐために通常はリセス１１とスロットを専有する長手方向に延びるロッキングバー１４と、リセス１１内にロッキングバー１４を引き込む手段と、バレル１３内に配置されている複数の円盤状のセキュリティ・メンバー２１と、バレル１３と各メンバー２１の相対的な回転方向運動を制限する停止手段と、バレル１３内での各メンバー２１の回転方向運動の一つのリミットに向けて各メンバー２１を付勢する弾性手段とからなり、各メンバー２１には中央開口があり、その中に鍵１６のシャンクの側壁の窪み２５内に係合するための実質的に円周方向に延びる突起２４を有し、各メンバー２１はまた、その実体部であり、円弧の一部をなす外周縁に、突起２４が鍵１６の適切な深さの窪み２５に係合すると、バレル１３内のスロットに位置合わせされるノッチ２１ｂを有し、このような配置において、適切な鍵１６がすべてのメンバー２１の中央開口を通して正しく挿入されると弾性手段の影響を受けて突起２４はすべて、適切な深さの窪み２５に係合され、複数のメンバー２１のノッチ２１ｂとバレル１３のスロットは位置合わせされ、回転方向運動が鍵１６に付与されるとロッキングバー１４はボディ１０のリセス１１からバレル１３のスロットと複数メンバー２１の複数のノッチ２１ｂの収納されるべき位置に移動し、バレル１３とメンバー２１がボディ１０に対して角度移動可能となり、
リセス１１の壁は、ベルマウス開口部を形成するように傾斜又は湾曲しており、
バレル１３の前面には、矩形の開口１５があり、これを通して、鍵１６の対応する矩形のシャンクを挿入することができ、
複数の円盤状のセキュリティ・メンバー２１の各々は、等しい数のキャリア２２のーつと組み合わせられ、
各キャリア２２は、組み合わされたメンバー２１がその周りを回転方向に移動可能であるように、切り欠き部分のある中空のボス２２ａを持っており、
各キャリア２２は、鍵１６のシャンクを受け入れるのに適した形状の開口２３を持っており、開口２３はバレル１３の中心軸に沿って貫通し、中心軸に関して点対称に形成されており、
各セキュリティ・メンバー２１は、その組み合わされるキャリア２２のボス部２２ａの周りに軸支される中央開口を有している鍵操作可能な錠に用いる鍵１６であって、
鍵１６のシャンクには、周囲を傾斜面で囲まれた円形の底面を有し、大きさの異なる複数の窪み２５が設けられ、
窪み２５は、３つの深さを選択できるようになっており、
正しい鍵１６が錠の中に挿入されたときには、各セキュリティ・メンバー２１のノッチ２１ｂは、そのキャリア２２のスロット２２ｃに整列する鍵１６。」
（２）甲第２号証
　請求人が無効理由に係る証拠として提出した、本件特許の優先日前に頒布された刊行物である甲第２号証には、次の事項が記載されている。
　ア　「【０００１】 
 【発明の属する技術分野】この発明は、レバータンブラー錠用のリバーシブルキー及びその製作方法に関する。
 【０００２】
 【従来の技術】従来のレバータンブラー錠用のリバーシブルキー、すなわち、任意数のＣ字状のレバータンブラーに当接して各レバータンブラーを解錠位置に整合変位させるための選択された深さの刻みを、平板状のキー本体の両側辺に設けたリバーシブルキーとしては、図１２に示されるようなものが知られている。
 【０００３】リバーシブルキーは、そのキー本体の平板面１４、１４の表裏を逆にしても鍵孔に挿入することができ、かつ錠を施解錠することができる利便さがある。
 【０００４】しかしながら、図１２に示す従来のリバーシブルキーにおいては、両側辺で対をなす刻み２０、２０の谷の底部３０、３０が、キー本体の平板面１４、１４と直角をなしかつキー本体の中心軸線ｌを含む平面Ｐに関し互に平行をなすように形成され、また、キー本体の横断端面が前記平面Ｐに関し面対称をなすように形成してある。
 【０００５】その為、一つには、ならい鍵切り機等により複製が不正に行われ易いこと、他の一つには、レバータンブラー錠でＣ字状のレバータンブラーを表裏逆に入れても（レバータンブラーは、鍵違いを増やす為、それを表裏逆にしてＣ字状又は逆Ｃ字状として装着できるようにしてある）、同じリバーシブルキーによって施解錠可能であるから鍵違い数の減少が余儀なくされることなど、未解決の問題がある。
 【０００６】
 【発明が解決しようとする課題】この発明はレバータンブラー錠用として提供されるリバーシブルキーは、前記の問題を悉く解決しようとするものである。すなわち、キー本体の刻みの形状を新規なものに変えることによって複製をしにくくし、かつ鍵違い数の減少を排除することを目的とする。」
 
　イ　「【００１１】
 【発明の実施の形態】以下、図面に示す実施例に基いてこの発明について説明する。図１〜図３において、符号１はつまみ１１及び平板状のキー本体１２から成るリバーシブルキー、１３はキー本体１２の長さ方向に沿ってその平板面１４、１４に設けた横断面を任意形状としたウォードである。…
 【００１２】この発明のリバーシブルキー１が差し込まれて用いられるレバータンブラー錠２は、図３〜図６に示すように、内周面の母線に沿ってカム溝２１を形成した外筒２２と、その外筒２２に回転自在に嵌合し、間隙を隔てて列設された複数の仕切板２３を備えると共に、前後方向に鍵孔２４を貫通させた内筒部２５と、その内筒部２５の母線に沿って延在し、内筒部２５の半径方向に移動可能に装着されると共に、押しばね２６により外方に向け付勢されたロッキングバー２７とを有する。
 【００１３】そして、前記の仕切板２３が形成する複数のスロット内に、それぞれの先端部分にロッキングバー２７を選択的に受け入れる解錠切欠き２８を形成したＣ字状のレバータンブラー２９を支軸３１で枢着し、各レバータンブラー２９は、鍵孔２４に差し込まれるキーの側辺部と干渉する方向にタンブラーばね３２で付勢される。
 【００１４】レバータンブラー錠は、合鍵が鍵孔２４に挿入されたとき、これらのタンブラー群２９のそれぞれが鍵孔２４に挿通された合鍵の対応する刻みと係合し、各タンブラー２９の解錠切欠き２８がロッキングバー２７の内側縁と整合するようにしてある。
 【００１５】そしてその状態で合鍵を回すと、カム溝２１とロッキングバー２７との間に生じる楔作用によりロッキングバー２７が内筒半径方向に移動するので、バックアップピン３３を含み、前方のキーガイド３４、仕切板２３、周囲を囲むリテーナ３５及び後方の尾栓３６等から成る内筒部２５は全体として解錠方向又は施錠方向に回動できる。
 【００１６】なお、前記のＣ字状のタンブラー２９はその開口部を任意に逆方向に向けて、換言すれば逆Ｃ字状をなすようにして装着され得ることは言うまでもない。
 【００１７】このようなレバータンブラー錠は実公昭５９−１９０９９号公報又は特公昭６０−６４３２号公報等にも示され周知であるから、構造や作動についての更に詳しい説明は省略する。」
 
　ウ　「【００１８】この発明に係るリバーシブルキーに戻って説明を加えると、そのキーの特徴はキー本体１２の両側辺に共に設けた刻みにある。
 【００１９】キー本体１２の両側辺において中心軸線ｌと直角をなす平面上で対をなすようにして設けた刻みの谷の底部３、３ａは、図２に明示するように、キー本体１２の厚さ方向でともに傾斜させてあり、一対の谷の底部３、３ａの傾斜は、図２に示す平面Ｐ、すなわち、キー本体１２の平面板１４、１４と直角をなしかつキー本体１２の中心軸線ｌを含む平面、に関し互に逆向きにしてある。
 【００２０】言い換えると、前記の対をなす谷の底部３、３ａにおける傾斜は、キー本体１２の平板面１４、１４と直角をなしかつキー本体１２の中心軸線ｌを含む平面Ｐに関し面対称ではなく、キー本体１２の横断端面において点対称をなすように形成されている。
 【００２１】更にまた、傾斜させた各谷の底部３（３ａ）は図示例では内に凸の曲面に形成してある。底部３（３ａ）の傾斜面をこのように曲面にすると、キーの不正な複製を一層難しくするが、その傾斜面は平面としてもよい。
 【００２２】キー本体１２の各刻みにおける底部３（３ａ）の傾斜面は、それが対応するタンブラー２９の正面形の違いに応じて形成されるが、例えば、図２に示すように、切削前のキー本体（図７に示す鍵材１０の本体のこと）に対しある定点Ａを通る直線がその定点Ａを中心として角度を変えた時、キー本体（１２）の一側辺の稜線とぶつかる直線ＡＯを基準として、角度を変える直線がキー本体（１２）をよぎる角度的深さｄ１、ｄ２、・・・ｄｎを対応するタンブラー２９の種類に応じて選択し、その深さｄｎの刻みを切削する。図２で示す谷の底部３、３ａの深さはｄ２である。
 【００２３】前記のような構成のこの発明のリバーシブルキーは、両側辺で対をなす１組の刻みにおいても鍵違いを生ずる。その鍵違いについて図５及び図６で説明する。
 【００２４】図５に示すレバータンブラー２９はＣ字状をなすように装着されており、また、図６に示すレバータンブラー２９は同じ列で正面形が同じものを表裏を逆にして逆Ｃ字状をなすようにして装着してある。
 【００２５】図５のＣ字状のタンブラー２９は、本発明のキーにおける長さ方向の所定位置の刻みで押されて解錠切欠き２８が解錠位置に至っているが、図６の逆Ｃ字状のタンブラー２９は同じキーを用いても傾斜している刻みの底部３ａの浅い部分が衝接することになる。
 【００２６】その為、図１２の従来のリバーシブルキーとは異なり、解錠切欠き２８は解錠位置を占めることにはならず、内筒部２５は外筒２２に対し回動不能である。このことは本発明のキーがリバーシブルであるに関わらず、鍵違い数の減少を排除していることを示している。」
　エ　「【００２９】前記の鍵材１０は、図８に示すように、特定の固定した軸線ｍの回りに揺動可能に設けたワーク台４に対して着脱可能に固定する。ワーク台４上の鍵材１０はその平板面１４、１４がワーク台４の軸線ｍに対し平行をなすようにして取り付ける。
 【００３０】そして、ワーク台４上の鍵材１０におけるキー本体の一側辺を、ワーク台４の軸線ｍと平行をなす特定の固定した別の軸線ｒの回りに回転する円板状の回転刃５に押し付ける。回転刃５の刃先にはキーの刻みにおける誘導斜面６、６ａを形成するためのテーパ部５１を備えている。
 【００３１】そこで、図９に示すように、キー本体１２に対して設けるべき所要の刻みについて谷の底部３を内に凸の曲面として直線ＡＯを基準とする選択された深さｄｎ（図９でｄ３）の斜面に切削形成する。
 【００３２】この際、誘導斜面６が同時に形成される。但し、この誘導斜面６はキー本体１２の幅方向並びに軸線方向の両方向に対し傾斜して形成される。勿論、キー本体１２の一側辺の他の刻みについても同様にして切削形成する。」
 
　オ　「【００３７】
 【発明の効果】以上に説明したこの発明のリバーシブルキーによれば、両側辺の刻みにおける対をなす谷の底部を互に逆向き傾斜面に形成してあるから、不正な複製を困難にするほか、リバーシブルキーにしたことによる鍵違い数の減少を排除できる効果を奏する。
 【００３８】また、前記底部の斜面を曲面としたものは、不正な複製を更に難しいものとする。
 【００３９】更に、この発明では、傾斜させた谷の底部を内に凸の曲面とした特殊なリバーシブルキーを正確にして効率よく製作する方法を提案している。」
　カ　図１ないし６は次のものである。
図１
図２
図３
図４
図５
図６
　キ　そして、特に、上記イの摘記事項を踏まえて、図１〜６をみると、
　カム溝２１が略Ｖ字形の横断面形状であること、複数の仕切板２３が錠の中心軸線方向に間隙を介して積層されて内筒部２５に設けられていること、鍵孔２４が錠の中心軸線に沿って貫通されて内筒部２５に設けられていることは、何れも明らかであり、
　また、ロッキングバー２７が、内筒部２５の外周部において半径方向に移動可能に案内されると共に、カム溝２１と係合する外側縁が外方に突出する方向に付勢されて装着されるものであって、合鍵と一体的に内筒部２５を回動させたとき、内筒部２５を外筒２２に対し相対回動できるように、内筒部２５の中心軸方向に移動するものであることは、明らかであり、
　さらに、レバータンブラー２９が、その中央部に鍵孔２４を包囲し得る大きさの鍵挿通切欠が形成されて、この鍵挿通切欠の開口端縁に鍵孔２４に挿入されたリバーシブルである合鍵のキー本体１２の端縁部と干渉する係合縁部が設けられ、この係合縁部が合鍵に近接する方向にタンブラーばね３２で付勢されると共に、常態では内筒部２５を軸線方向に貫通するバックアップピン３３に係止するものであって、その実体部の１ヵ所としての一端部が内筒部２５を軸線方向に貫通する支軸３１に揺動可能に軸支されると共に、その実体部としての先端部分が鍵挿通切欠を挟んで支軸３１と対峙する円弧の一部をなす自由端部となっており、その外側端縁に解錠切欠き２８が形成されるものであることは、明らかである。
　そして、係合縁部の夫々が鍵孔２４に挿通された合鍵のキー本体１２に谷の底部３、３ａを内に凸の曲面の傾斜面として形成された刻みと係合したとき、当該刻みに対応して各レバータンブラー２９の揺動角度が変わって解錠切欠き２８がロッキングバー２７の内側縁と整合することも明らかである。 
　また、上記ウの【００２１】、【００２２】の記載、及び上記カの図５からみて、係合縁部は凸状であって、開口端縁に一体的に突設されていると認められる。 
　ク　上記アないしキによれば、甲第２号証には、以下の発明が記載されていると認められる（以下「甲２発明」という。）。
　なお、甲２発明は鍵の発明であるが、本件特許発明との比較のために便宜的に鍵の構成に影響しない錠の構成も記載する。
 「内周面の母線に沿って横断面形状が略Ｖ字形のカム溝２１を形成した外筒２２と、
 この外筒２２に回転自在に嵌合し、間隙を介して中心軸線方向に積層された複数の仕切板２３を設けると共に、中心軸線に沿って鍵孔２４を貫通させた内筒部２５と、
 この内筒部２５の母線に沿って延在し、内筒部２５の外周部において半径方向に移動可能に案内されると共に、上記カム溝２１と係合する外側縁が外方に突出する方向に付勢されたロッキングバー２７とを有し、
 上記仕切板２３の間の各スロットに、中央部に点対称に形成された鍵孔２４を包囲し得る大きさの鍵挿通切欠を形成したＣ字状のレバータンブラー２９を挿設し、
 その実体部の１ヵ所を、内筒部２５を軸線方向に貫通する支軸３１に揺動可能に軸支すると共に、鍵挿通切欠を挟んで上記支軸３１と対峙するレバータンブラー２９の実体部であり、円弧の一部をなす自由端部外側端縁に解錠切欠き２８を形成し、
 一方、鍵挿通切欠の開口端縁に、先端の移動軌跡が鍵孔２４に挿入されたリバーシブルである合鍵のキー本体１２の端縁部と干渉する係合縁部を設け、
 各レバータンブラー２９をこの係合縁部が合鍵に近接する方向にタンブラーばね３２で付勢すると共に、常態では内筒部２５を軸線方向に貫通するバックアップピン３３に係止し、
 他方、これらのレバータンブラー２９群の係合縁部の夫々が鍵孔２４に挿通された合鍵のキー本体１２の端縁部に谷の底部３、３ａを内に凸の曲面の傾斜面として形成された刻みと係合したとき、当該刻みに対応して各レバータンブラー２９の揺動角度が変わって解錠切欠き２８がロッキングバー２７の内側縁と整合するようにしたレバータンブラー錠用の合鍵であって、
 鍵孔２４に挿入されたときレバータンブラー２９の係合縁部と整合するキー本体１２の部位に、谷の底部３、３ａを内に凸の曲面の傾斜面として形成された刻みを形成し、この刻みが係合縁部と係合したとき、各レバータンブラー２９の解錠切欠き２８がロッキングバー２７の内側縁と整合するようにし、
 以て、合鍵と一体的に内筒部２５を回動させたとき、カム溝２１とロッキングバー２７との間に生じる楔作用によりロッキングバー２７を内筒部２５中心軸方向に移動させ、内筒部２５を外筒２２に対し相対回動できるようにしたレバータンブラー錠用の鍵。」
（３）甲第３号証
　請求人が無効理由に係る証拠として提出した、本件特許の優先日前に頒布された刊行物である甲第３号証には、次の事項が記載されている（なお、丸付き数字は括弧付き数字で表記した。以下甲第１４号証も同じ。）。
　ア　「（１）仕切板７両側挿入部ａ，ａ’が仕切板止め８に挿入されて内筒部を形成し、
　仕切板７の間には仕切板７を貫通する支軸３に回動自在に吊架されたレバータンブラー１が挿入され、
　内筒部を形成する仕切板止め８に外筒９が嵌め込まれ、
　かつ解錠時ロッキングバー５がレバータンブラー１の係合溝１４に係合するように仕切板７外筒９の形成するジャーライン上に設けられており、
　前記仕切板７仕切板止め８、レバータンブラー１、が少なくともプレス部材で作られている、
　ことを特徴とするレバータンブラーシリンダー錠。
（２）レバータンブラー１の上部に支軸３が貫通され、レバータンブラー１はその下部が彎曲部１Ａを形成する弧状である実用新案登録請求の範囲第１項記載のレバータンブラー錠。」（実用新案登録請求の範囲）
　イ　「以下その組立順序を説明する。
（１）　まづ内筒フロント１２にバックアップピン４と支軸３が固定される。
（２）　つぎに支軸３とバックアップピン４がレバータンブラー１仕切板７が挿通される。
　レバータンブラー１には支軸３の挿通孔ｂ’が穿設され、かつロツキングバー係合溝１４位置決めスプリング２の係止溝ｅが凹設されている。
　また仕切板７には両側に仕切板止８への挿入部ａ，ａ’支軸３の挿通孔ｂ、バックアップピン４の挿通孔ｃ、ロツキングバー５の嵌入切込ｄが設けられている。
（３）　つぎに内筒連動部１３が支軸３、バックアップピン４に固定される。
（４）　つぎに仕切板７の両側の挿入部ａ，ａ’に仕切板止８が挿入される。かくして内筒部が形成される。また予めタンブラー位置決めスプリング２はその一端がタンブラー１の係止溝ｅに挿入され、他端が仕切板止め８に係止され、固定される。
（５）　つぎに仕切板７の切込ｄにロツキングバー５を、内筒フロント１２連動部１３にロツキングバーけん引スプリング６を挿入する。
　しかる後外筒９を仕切板止８の外側に嵌め込み、錠の内外筒が形成される。
（６）　最後に外筒９の前方のカバー１１、錠ケースカバー１０が内外筒を被覆して本考案錠は形成される。」（明細書３頁２０行〜５頁８行）
　ウ　「つぎに本考案の作用について説明する。
（１）　本考案錠は前記したように主要部材がプレス部材で作られ容易に組立てられるので大量生産が可能であり、低コストのレバータンブラーシリンダー錠が得られる。
（２）　いま鍵を鍵穴ｈに挿入すると、レバータンブラー１は支軸３を中心として回動し、タンブラー１の係合溝１４はロツキングバー５が係合できる位置に直線的にそろい、続いて内筒部を回転すればロツキングバー５は、係合溝に入り込み回動可能となる。
（３）　本考案錠は施錠状態においてはレバータンブラー１は位置決めスプリング２によりタンブラー１の係合溝１４がロッキングバー５と異なる位置に保持されている。
　またバックアップピン４はレバータンブラー１が外部から攻撃されてもその動を阻止する働らきをしている。すなわち鍵穴ｈにマイナスドライバー等を挿入し内筒を強制的に回動させようとした時に、ロッキングバー５が内筒中心向きにレバータンブラー１の彎曲部１Ａを押圧する力が掛る。もしバックアップピン４が無ければその押圧力がレバータンブラー１の彎曲部１Ａを曲げ破壊してロッキングバー５が外筒よりはずれ回動可能に至ることが考えられる。
　しかるにバックアップピン４があることにより前記押圧力に対してレバータンブラー１だけでなく、バックアップピン４でも抵抗するのでレバータンブラー１の回動は困難となり、外部からの攻撃に対して安全である。
（４）　レバータンブラー１は上部に位置する支軸３を中心として揺動し下端に彎曲部１Ａを有する弧状に形成されているので、彎曲部１Ａの回動範囲が広くとれ、彎曲部１Ａの長さが大きくとれる。したがって彎曲部１Ａに多くのロッキングバ−５の係合溝１４がとれ、鍵違いの数が多く取れる利点がある。」（明細書５頁１０行〜７頁７行）
（４）甲第４号証
　請求人が無効理由に係る証拠として提出した、本件特許の優先日前に頒布された刊行物である甲第４号証には、次の事項が記載されている。
　ア　「１　仕切板７両側挿入部ａ，ａ’が仕切板止め８に挿入されて内筒部を形成し、
　仕切板７の間には仕切板７を貫通する支軸３に回動自在に吊架されたレバータンブラー１が挿入され、
　内筒部を形成する仕切板止め８に外筒９が嵌め込まれ、
　かつ解錠時ロッキングバー５がレバータンブラー１の係合溝１４に係合するように仕切板７外筒９の形成するジャーライン上に設けられており、
　レバータンブラー１の上部に支軸３が貫通され、レバータンブラー１はその下部が弧状の湾曲部１Ａを形成し、該湾曲部１Ａの上面にはシリンダーを貫通するパックアップピン４が接しているレバータンブラー錠において、
　パックアップピン４の先端は起立して先端湾曲部４ａを形成し、かつ後部所定数の仕切板７とレバータンブラー１のコンス状態における位置に対応して凸部１７、凹部１６が設けられ、一方後部所定数のレバータンブラー１の湾曲部１Ａにはバックアップピン４の凸部１７に嵌合可能のバックアップピン係合溝１５が凹状に設けられており、
　コンス状態においては後部所定数のレバータンブラー１の凹状のパックアップピン係合溝１５にバックアップピン４の凸部１７が係合して後部所定数のレバータンブラー１は回動不能であり、
　コンス状態を解除するには、バックアップピン４を後方に向けて押動することにより、パックアツプピン４の凹部１６がレバータンブラー１の位置に移動するように構成した、
　ことを特徴とするレバータンブラーシリンダー錠におけるコンストラクションキー装置。」（特許請求の範囲）
　イ　「（２）　いま鍵を鍵穴ｈに挿入すると、レバータンブラー１は支軸３を中心として回動し、レバータンブラー１の係合溝１４はロツキンクバー５が係合できる位置に直線的にそろい、続いて内筒部を回転すればロッキングバー５は、係合溝に入り込み回動可能となる。
（３）　前記考案の錠は施錠状態においてはレバータンブラー１は位置決めスプリング２によりレバータンブラー１の係合溝１４がロッキングバー５と異なる位置に保持されている。」（５欄１９〜２８行）
（５）甲第５号証
　請求人が無効理由に係る証拠として提出した、本件特許の優先日前に頒布された刊行物である甲第５号証には、次の事項が記載されている。
　ア　「1. Field of the Invention
 This invention relates generally to a lock, and more particularly to a high security lock that utilizes a locking bar and a stack of locking discs having features that make the lock difficult to pick.」（１欄５行〜９行）
（翻訳）
「１．本発明の分野
　この発明は一般的には錠に関し、より具体的には、ロッキングバーとロッキングディスクの積層体とを用いる、ピッキングを困難にしたことに特徴を有する高セキュリティ錠に関する。」
　イ　「The present invention further provides a lock including a housing, a lock cylinder, a plurality of locking members, and a locking bar. A latching device is operatively connected to the lock cylinder and rotation of the lock cylinder effects movement of the latching device between locked and unlocked conditions. Each locking member is provided with a gating notch on the outer periphery thereof and a cam surface which engages the key when inserted into the lock. The locking bar normally occupies a first position coupling the lock cylinder to the housing. Linear insertion of the proper key causes the locking members to move so that the gating notches are aligned in a predetermined manner. This alignment allows the locking bar to be received in the gating notches coupling the locking means to the lock cylinder and uncoupling the lock cylinder from the housing to permit movement of the latching device between the locked and unlocked conditions.」（１欄６７行〜２欄１６行）
（翻訳）
「本発明は、さらに、
ハウジング、ロックシリンダー、複数のロッキングメンバー、及び、ロッキングバーを含む錠
　ウ　「Referring now to FIG. 1, in a preferred form of the invention, a lock 10 has a face plate 12, an outer housing 14, and a lock cylinder 16. A latch actuating bar 18 is operatively attached to the lock cylinder 16 so as to be rotatable therewith, and a snap ring 20 is provided for retaining the lock cylinder 16 within the outer housing 14. As shown in FIG. 2, the face plate 12 has an aperture 22 therein to receive the lock cylinder 16. A keyway 24 is provided in the lock cylinder 16 to receive a key for actuating the lock. The keyway 24 has inwardly tapered sides 26 to assist the insertion of the key into the lock cylinder 16.」（２欄４５行〜５６行）
（翻訳）
「ここで図１を参照し、本発明の好ましい形態においては、錠１０は、フェイスプレート１２、外側ハウジング１４，及びロックシリンダー１６を有している。掛け金の作動棒１８は、作動的にロックシリンダー１６に取り付けられており、それと一緒に回転可能となっており、そして、スナップリング２０が、外側ハウジング１４の中でロックシリンダー１６を保持するために、備えられている。図２に示されているように、フェイスプレート１２は、その中に、ロックシリンダー１６を受け取るための開口２２を有している。
鍵穴２４が、錠を作動させるための鍵を受け入れるために、ロックシリンダー１６に設けられている
　エ　「In the unlocked condition, lock cylinder 16 is rotatable relative to outer housing 14 whereas in the locked condition, the lock cylinder 16 is coupled to the outer housing 14 to prevent rotation of the lock cylinder. Whether the lockcylinder 16 is permitted to or prohibited from rotating is dependent upon the position of a locking bar 40 relative to the lock cylinder 16. In the locked condition, as shown in FIG. 4, the locking bar 40 occupies a longitudinally extending recess 42 provided in the outer housing 14. The locking bar 40 is of sufficient width in the radial direction to extend into a longitudinal slot 44 provided in the lock cylinder 16. By simultaneously occupying recess 42 and longitudinal slot 44, the locking bar 40 prevents rotation of the lock cylinder 16 relative to the outer housing 14 which, in turn, prevents rotation of the latch actuating bar 18 and the actuation of the latching device connected thereto.」（３欄１５行〜３１行）
（翻訳）
「アンロック状態において、ロックシリンダー１６は外側ハウジング１４に対して回転可能であり、一方ロック状態では、ロックシリンダー１６は、ロックシリンダーの回転を防ぐために、外側ハウジング１４と結合される。ロックシリンダー１６が回転を許されているか、それとも禁止されているかは、ロックシリンダー１６に対するロッキングバー４０の位置に依存している。ロック状態で、図４に示されているように、ロッキングバー４０は、
外側ハウジング１４に設けられた縦に延びるリセス４２
　オ　「Locking bar 40 is retained within recess 42 by means of a permanent magnet 46 mounted in the base 48 of recess 42. Magnet 46 attracts locking bar 40 so that the locking bar will normally occupy recess 42 and extend into longitudinal slot 44 in lock cylinder 16 coupling the lock cylinder 16 to the outer housing 14 to prevent rotation of the lock cylinder 16 and the actuation of the latching device.」（３欄３２行〜３９行）
（翻訳）
「
ロッキングバー４０は、リセス４２のベース４８の中に取り付けられた永久磁石４６によって、リセス４２内に保持される。磁石４６はロッキングバー４０を引き付けて、ロッキングバーが、通常、ロックシリンダー１６のリセス４２を占めて縦のスロット４４内に延び、ロックシリンダー１６を外側ハウジング１４に連結して、ロックシリンダー１６の回転と掛け金装置の発動を防ぐ
　カ　「In the unlocked condition, as shown in FIGS. 5 and 6, the locking bar 40 occupies the longitudinal slot 44 provided in the lock cylinder 16 and a plurality of gating notches 50 which will be described later. Movement of the locking bar 40 in the radial direction from the recess 42 in the outer housing 14 into the plurality of gating notches 50 permits rotation of the lock cylinder 16 relative to the outer housing 14 which, in turn, permits rotation of the latch actuating bar 18 and the actuation of the latching device connected thereto. Recess 42 has inclined walls 52 to form camming surfaces which engage with the locking bar 40 upon rotation of the lock cylinder 16 to drive the locking bar 40 from the recess 42 into the plurality of gating notches 50.」（３欄４０行〜５４行）
（翻訳）
「アンロック状態では、図５と６に示されているように、ロッキングバー４０は、
ロックシリンダー１６に設けられた縦のスロット４４
外側ハウジング１４のリセス４２
リセス４２は、ロックシリンダー１６の回転でロッキングバー４０に係合するカム表面を形成する傾斜した壁５２を有し
　キ　「Turning once again to FIG. 6, the lock cylinder 16 has a substantially cylindrical concentric bore 54 therein forming a flange 56 at one end thereof. A plurality of locking discs 58, separated by spacers 60, are received in the lock cylinder bore 54 and are rotatable relative thereto. The discs 58 are restrained from axial movement by the plug 28 at one end of the lock cylinder 16 and the flange 56 at the other end thereof.」（３欄５５行〜６２行）
（翻訳）
「再度図６に転じて、ロックシリンダー１６は、実質的に筒状の同心の穴５４を有し、その中の片端でフランジ５６を形成している。
スペーサ６０によって分離された複数のロッキングディスク５８が、ロックシリンダーの穴５４に受け入れられて、それに対して回転可能である
　ク　「Referring again to FIGS. 4 and 5, each locking disc 58 is biased in an angular direction by a compression spring 62 which is received in a recess 64 provided in the periphery of the locking disc. One end of spring 62 is in contact with a first shoulder 66 formed on the periphery of the locking disc 58 by the recess 64. The other end of spring 62 is in contact with a longitudinally extending support member 68 received in a recess 70 provided in the periphery of lock cylinder 16. The springs 62 bias their respective locking discs 58 in a clockwise direction, as shown in FIG.4, so that a second shoulder 72 formed on the periphery of the locking disc 58 by recess 64 is in contact with support member 68 causing alignment of the discs relative to one another before key insertion.」（３欄６３行〜４欄９行）
（翻訳）
「再び図４と図５を参照しつつ、各ディスク５８は、圧縮スプリング６２によって回転角方向に付勢されており、その圧縮スプリング６２は、ロッキングディスクの周辺に設けられたリセス６４に受け入れられている。スプリング６２の片端は、リセス６４までに、ロッキングディスク５８の周辺で形成した最初の肩６６に接触している。スプリング６２のもう一方の端は、
ロックシリンダー１６の周辺に設けられたリセス７０に受け入れられた縦に延びるサポートメンバー６８
スプリング６２は
各々のロッキングディスク５８を時計周りに付勢しており、ロッキングディスク５８の周囲に
形成した第２の肩７２がサポートメンバー６８に接触しており、鍵の挿入の前に、お互いに対してディスクの整列を引き起こす
　ケ　「Referring now to FIGS. 8 and 9, each locking disc 58 has an aperture 74 to receive the shank of a key. Extending in a substantially radial direction into aperture 74 is a projection 76 which has a chamfered surface 78 disposed to engage with the key when it is linearly inserted into the lock. The chamfered surface 78 cams the locking disc 58 as the shank of the key is inserted into the apertures 74 causing the locking discs 58 to rotate. When the proper key has been inserted into the lock 10, the angular movement of each locking disc 58 is such that the gating notches 50 are aligned relative to one another permitting the receipt of the locking bar 40 therein coupling the locking discs 58 to the lock cylinder 16 and uncoupling the lock cylinder 16 from the outer housing 14, as shown in FIG. 5. When coupled, the lock cylinder 16 will rotate as the locking discs 58 rotate which, in turn, causes the rotation of the latch actuating bar 18 and the latching device connected thereto.」（４欄１０行〜２８行）
（翻訳）
「ここで図８及び図９を参照して、
各ロッキングディスク５８は、鍵のシャンクを受け入れるための開口７４を有している。開口７４内へ実質的に半径の方向に延びるのは、鍵が直線的に錠に挿入されるときに鍵と係合するために面取りされた表面７８を有する突起７６である。面取りされた表面７８は、鍵のシャンクが開口７４に挿入されたときに、ロッキングディスク５８とカム係合し、ロッキングディスク５８の回転を引き起こす
　コ　「Referring now to FIG. 7, the lock 10 is operated by a key 80 which has depressions 82 on the shank thereof. The depressions 82 have different depths and are spaced on the shank of key 80 so as to coincide with projections 76 on the locking discs 58 when the key 80 is fully inserted into the lock 10. Each of the depression depths results in a different angular movement of the locking disc 58 relative to the lock cylinder 16, and thus the location of gating notch 50 on the periphery of the locking discs 58 is determined by the depth of the depression that is to be engaged by projection 76. The gating notch 50 is positioned on the periphery of locking disc 58 so that it will be aligned with longitudinal slot 44 in the lock cylinder 16 if the depression 82 engaged by projection 76 on the locking disc 58 is of the proper depth. Thus, if the proper key has been inserted into lock 10, the rotation of each locking disc will besuch so that each gating notch 50 will be aligned relative to every other gating notch permitting the receipt of the locking bar therein and the actuation of the latching device connected to the lock.」（４欄２９行〜４９行）
（翻訳）
「ここで図７を参照すると、
錠１０は、シャンク上に窪み８２を有する鍵８０により操作される。窪み８２は、異なった深さを有しており、鍵８０が錠１０に完全に挿入されたときにロッキングディスク５８上の突起７６と場所が一致するように、鍵８０のシャンクの上に間をおいて配置されている。各窪みの深さは、ロックシリンダー１６に対して、ロッキングディスク５８の異なった角運動をもたらし、そして、その結果、ロッキングディスク５８外周のゲイティングノッチ５０の位置は、突起７６に係合することになっている窪みの深さによって決定される
　サ　「As shown in FIG. 8, in addition to the gating notch 50, anti-picking notches 84 are provided in the periphery of locking disc 58. Such anti-picking notches have a smaller cross-sectional area than the gating notch 58 and thus, cannot receive the locking bar 40, but give the impression of receiving the locking bar when the lock is being picked. It should be noted that the orientation of the gating notch 50 with respect to the anti-picking notches 84 on the periphery of the locking disc 58 may be different from that shown in FIG. 8. The position of gating notch 50, as shown in FIG. 8, is for key depressions 82 of maximum depth. For key depressions of lesser depth, the location of the gating notch 50 will change causing a different orientation of the gating notch with respect to the anti-picking notches 84.」（４欄５０行〜６４行）
（翻訳）
「図８に示すように、ゲイティングノッチ５０に加えて、アンチピッキングノッチ８４が、ロッキングディスク５８の外周に設けられている。そのようなアンチピッキングノッチは、ゲイティングノッチ５８より小さい断面積を有しており、その結果、ロッキングバー４０を受け入れることはできないが、錠がピッキングされているとき、ロッキングバーを受け入れる印象を与える。ロッキングディスク５８外周における、アンチピッキングノッチ８４に関するゲイティングノッチ５０のオリエンテーションは、図８に示されていたそれと異なっていてもよいことに注意すべきである。図８に示されているゲイティングノッチ５０の位置は、最も深い鍵の窪み８２についてのものである。より浅い深さの鍵の窪みに関しては、ゲイティングノッチ５０の位置は変わり、アンチピッキングノッチ８４に関してゲイティングノッチの異なったオリエンテーションをもたらす。」
　シ　「As previously mentioned, when the proper key has been inserted into lock 10, each gating notch 50 is aligned relative to every other gating notch. If the key is then turned, the locking bar 40 will be cammed from recess 42 into the plurality of gating notches 50 that are aligned with longitudinal slot 44, causing the lock cylinder 16, together with the plurality of locking discs 58, to rotate relative to outer housing 14 thereby causing the latch actuating bar 18 to rotate which, in turn, actuates the latching device connected thereto. When the key is returned to its original neutral position, the locking bar 40 is attracted by permanent magnet 46 causing the locking bar to move radially outward from the plurality of gating notches 50 in which it was seated and reoccupy recess 42 in outer housing 14. Because of the width of the locking bar 40 in the radial direction, a portion of the locking bar remains within longitudinal slot 44 in lock cylinder 16 after the locking bar moves into recess 42, thus preventing rotation of the lock cylinder 16 relative to the outer housing 14 and the actuation of the latching device.」（４欄６５行〜５欄１７行）
（翻訳）
「前述のように、適切な鍵が錠１０に差し込まれたとき、各ゲイティングノッチ５０は、他の全てのゲイティングノッチに対して整列する。次に、鍵が回されると、ロッキングバー４０は、リセス４２から、縦のスロット４４に整列した複数のゲイティングノッチ５０の中へとカム案内され、ロックシリンダー１６を、複数のロッキングディスク５８と共に、外側ハウジング１４に対して回転させ、その結果、掛け金作動棒１８の回転をもたらし、それに接続された掛け金装置を順番に（in turn）作動させる。元のニュートラル・ポジションに鍵を戻すと、ロッキングバー４０は永久磁石４６に引き寄せられて、それが座っていた複数のゲイティングノッチ５０から半径方向に外側に動いて、外側ハウジング１４内のリセス４２を再占拠する。ロッキングバー４０の半径方向の幅のため、ロッキングバーがリセス４２内へ移動した後に、ロッキングバーの一部が、ロックシリンダー１６の縦のスロット４４に残り、その結果、外側ハウジング１４に対するロックシリンダー１６の回転、及び、掛け金装置の発動を防ぐ。」
　ス　「It should be appreciated that gating notch 50, antipicking notches 84, and recess 64 can be repeated at positions 180 DEG removed therefrom at 50a, 84a, and 64a. This enables the locking disc 58 to be used in a symmetrically disposed position relative to other locking discs permitting the projection 76 on the locking disc to engage depressions 82 on the opposite side of the shank of the key 80 and below the longitudinal middle line thereof. Spring 62 and support member 68 are then received in recess 64a and are positioned relative to one another to bias locking disc 58 in a clockwise direction. Additionally, other locking discs may be provided having projections positioned so as to engage depressions 86 below the longitudinal middle line of the shank shown in FIG. 7 or above the longitudinal middle line on the opposite side thereof. In this instance, the spring 62 and support member 68 are received in recess 64 or 64a and are positioned relative to one another to bias the locking disc in a counterclockwise direction. Thus, the lock 10 can be adapted to be operated by depressions located not only above the longitudinal middle line but also below the longitudinal middle line of the key shank, and on the opposite side thereof.」（５欄１８行〜４２行）
（翻訳）
「ゲイティングノッチ５０、アンチピッキングノッチ８４、及びリセス６４は、それら５０ａ、８４ａ、及び６４ａから１８０°離れて、繰り返すことができるのが理解されるべきである。これは、ロッキングディスク５８が、他のロッキングディスクに対して対称的に配列された位置で使用されるのを可能にし、ロッキングディスク上の突起７６が、鍵８０のシャンクの反対側の、そして、その縦の正中線の下方の窪み８２と係合するのを可能にする。スプリング６２とサポートメンバー６８は、次に、リセス６４ａに受け入れられて、お互いに対して位置決めされ、時計回りにロッキングディスク５８を付勢する。さらに、図７に示されるシャンクの縦の正中線の下、又は、それの反対側における縦の正中線の上の窪み８６と係合するように位置決めされた突起を有する、他のロッキングディスクを設けてもよい。この場合、スプリング６２とサポートメンバー６８は、リセス６４又は６４ａに受け入れられてお互いに対して位置決めされ、ロッキングディスクを反時計回りに付勢する。かくして、鍵のシャンクの縦の正中線の上方だけではなく、縦の正中線の下方、そして、それの反対側に位置する窪みによって操作されるように、錠１０を適合させることができる。」
　セ　「In as much as numerous locking discs in various orientations relative to one another can be utilized in the lock, and since the depressions in the key shank can be of various depths, and since the lack of a depression can also be considered to be an additional depth, an extremely large number of different lock combinations is possible with this lock. For example, 410 times as many different combinations can be obtained with a lock, such as this, using ten locking discs and three alternative depth depressions as compared with a pin tumbler lock having ten pins and three alternative depths for the notches in the key.」（５欄４３行〜５４行）
（翻訳）
「お互いに対して様々なオリエンテーションに多数のロッキングディスクが利用でき、そして、鍵のシャンクにおける窪みを様々な深さのものにでき、また、窪みの欠乏（lack）を追加深さであると考えることができるので、非常に多くの異なった錠組み合わせが、この錠で可能である。例えば、１０本のピンと鍵の３つの代替深さのノッチを有するピンタンブラー錠と比べて、このような錠について、１０枚のロッキングディスクと３つの代替的な深さの窪みを使用して、４の１０乗回という多さの異なった組み合わせを得ることができる。」
　ソ　「A lock for use with a key for effecting actuation of a latching device, said lock comprising:
a housing having a substantially cylindrical bore therethrough;
a lock cylinder having a substantially cylindrical bore therein, said lock cylinder being received in said bore in said housing and being rotatable relative to said housing;
latch actuating means operatively connected to said lock cylinder and rotatable therewith to effect actuation of the latching device;
locking means received in said bore of said lock cylinder and being rotatable relative thereto in response to the linear movement of the key into the lock;
coupling means for coupling said locking means to said lock cylinder, said coupling means coupling said locking means to said lock cylinder when said lock is in an unlocked condition permitting simultaneous rotation of said locking means and said latch actuating means to effect actuation of the latching device; and
means for moving said coupling means to prevent engagement of said coupling means with said locking means when said lock is in a locked condition.」（６欄１行〜２５行）
（翻訳）
「鍵とともに用いられ、掛け金装置の発動に作用する錠であって、前記錠は以下を備える：
　
それを貫通する実質的に筒状の穴を有するハウジング
　
その中に実質的に筒状の穴を有し、前記ハウジングの前記穴で受けられる前記ハウジングに対して回転可能なロックシリンダー
　前記ロックシリンダーに作動的に接続されており、それとともに回転して掛け金装置の発動に作用する掛け金発動装置；
　前記ロックシリンダーの前記穴に受け入れられており、それに対して、鍵の錠の中への直線的な運動に対応して回転可能であるロッキング手段；
　前記ロッキング手段を前記ロックシリンダーに結合する結合手段であって、前記錠がアンロック状態のときに前記ロッキング手段を前記ロックシリンダーに結合し、前記ロッキング手段と前記掛け金発動手段の同時回転を可能にして前記掛け金装置の発動に作用する結合手段；
　そして、前記錠がロック状態のときに、前記結合手段と前記ロッキング手段との係合を防ぐように前記結合手段を動かす手段。」
　タ　図２は次のものである
　チ　図４は次のものである。
　ツ　図５は次のものである。
　テ　図６は次のものである。
　ト　図７は次のものである。
　ナ　図９は次のものである。
　ニ　図２、図４及び図６をみると、鍵孔２４は、中心軸線に沿って貫通されてロックシリンダー１６に設けられていることがみてとれる。
　ヌ　上記コ及びスの記載を踏まえて図５をみると、スプリング６２により、ロッキングディスク５８を時計周りに付勢することは、ロッキングディスク５８の突起７６を鍵８０に近接する方向に付勢することであることがみてとれる。
　ネ　図５をみると、ロッキングディスク５８の中央に開口７４が形成されていることがみてとれる。
　ノ　上記ケの記載及び図６の記載を踏まえて図９をみると、複数のロッキングディスク５８において、突起７６の突出量が一定であることがみてとれる。
　ハ　上記ケ及びコの記載を踏まえて図５及び図７をみると、鍵のシャンク上の窪み８２は有底の擂り鉢形であることがみてとれる。
　ヒ　上記アないしソの摘記事項、ニないしハの図示事項、及び図５に示された突起７６と窪み８２の係合関係からみて窪み８２はその深さが深いほど大きくなると認められることによると、甲第５号証には、以下の発明が記載されていると認められる（以下「甲５発明」という。）。
「それを貫通する実質的に筒状の穴を有する外側ハウジング１４、その中に実質的に筒状の穴を有し、前記外側ハウジング１４の前記穴で受けられる前記外側ハウジング１４に対して回転可能なロックシリンダー１６、ロックシリンダー１６の穴に受け入れられて、それに対して回転可能であるスペーサ６０によって分離された複数のロッキングディスク５８、及びロッキングバー４０を含み、
外側ハウジング１４には、縦に延びるリセス４２が設けられ、リセス４２は、ロックシリンダー１６の回転でロッキングバー４０に係合するカム表面を形成する傾斜した壁５２を有し、
ロックシリンダー１６には、縦のスロット４４が設けられ、錠を作動させるために鍵を受け入れるための鍵穴２４が中心軸線に沿って貫通されて設けられ、
各ロッキングディスク５８は、複数のゲイティングノッチ５０及び鍵のシャンクを受け入れるための中央に形成された開口７４を有しており、鍵が直線的に錠に挿入されるときに鍵と係合するために面取りされた表面７８を有し、突出量が一定である突起７６が前記開口７４内へ実質的に半径の方向に延び、
ロッキングディスク５８の周囲に形成した第２の肩７２が、ロックシリンダー１６の周辺に設けられたリセス７０に受け入れられた縦に延びるサポートメンバー６８に接触しており、鍵の挿入の前に、お互いに対してディスクの整列を引き起こし、
スプリング６２は、各々のロッキングディスク５８の突起７６を鍵に近接する方向に付勢し、
ロッキングバー４０は、リセス４２のベース４８の中に取り付けられた永久磁石４６によって、引き付けられ、ロッキングバー４０が、通常、リセス４２を占めて縦のスロット４４内に延び、ロックシリンダー１６を外側ハウジング１４に連結して、ロックシリンダー１６の回転を防ぎ、
前記突起７６の面取りされた表面７８は、鍵のシャンクが開口７４に挿入されたときに、ロッキングディスク５８とカム係合し、ロッキングディスク５８の回転を引き起こし、
適切な鍵が錠１０に差し込まれたとき、各ゲイティングノッチ５０は、他の全てのゲイティングノッチ５０に対して整列し、鍵が回されると、ロッキングバー４０は、リセス４２から、縦のスロット４４に整列した複数のゲイティングノッチ５０の中へとカム案内され、ロックシリンダー１６を、複数のロッキングディスク５８と共に、外側ハウジング１４に対して回転させる、錠１０に用いられる鍵であって、
シャンク上に有底の擂り鉢形の窪み８２を有し、窪み８２は異なった深さと大きさを有しており、鍵が錠１０に完全に挿入されたときにロッキングディスク５８上の突起７６と場所が一致するように、鍵のシャンクの上に間をおいて配置され、各窪み８２の深さは、ロックシリンダー１６に対して、ロッキングディスク５８の異なった角運動をもたらし、その結果、ロッキングディスク５８外周のゲイティングノッチ５０の位置は、突起７６に係合することになっている窪み８２の深さによって決定される鍵。」
（６）甲第６号証
　請求人が無効理由に係る証拠として提出した、本件特許の優先日前に頒布された刊行物である甲第６号証には、次の事項が記載されている。
　ア　「（作用）
このシリンダ錠装置では、内筒５の鍵孔７に鍵板９を挿入すると、鍵板９の操作凹部１３又は操作凹部１４或いは該操作凹部間の鍵板側面に各受動突起１４が押されて、各ディスクタンブラ２が内筒５の受溝６に沿って上下摺動し、鍵板９が所定長さだけ充分に挿入された段階では、特定のディスクタンブラ２の受動突起１４が特定の操作凹部１３、１４に係合する。
これによって各ディスクタンブラ２の錠止端部が錠本体１の溝部３、４から脱出するため、錠本体１に対する内筒５の錠止が解除され、内筒５は錠本体１内で回転可能となる。そこで、鍵板９を所定方向に回すと、止め金板２０が解錠位置に回動し、固定枠体に対する取付パネル２３の施錠が解除される。」（４欄１８〜３１行）
　イ　「前記鍵孔７も該横方向中心線１１に関して上下対称で該縦方向中心線１２に関して左右対称に形成されている。」（５欄３〜４行）
　ウ　「（考案の効果）
以上のように本考案のディスクタンブラ型シリンダ錠装置では、内筒５の受溝６を上下対称及び左右対称に形成し、該受溝６の中央部に鍵孔７を貫通させ、バネ受孔８を該鍵孔７の上下両側部分の中央部に縦長に設け、ディスクタンブラ２の外周形状を左右対称に形成し、該ディスクタンブラ２の中央部に鍵板９の挿入用透孔１０を設け、バネ受切欠１１を該透孔１０の錠止端部２ａ側の孔縁部中央に縦長に設け、錠止端部２ａとは反対側の透孔１０の孔縁部に受動突起１４を左右一側にずらせて突設してあるため、受溝６に対するディスクタンブラ２の組込み方向が一方向に限定されず、複数枚のディスクタンブラ２の一部又は全部を上下半転して挿入したり、表裏半転して挿入したり、上下半転と表裏半転を共にして挿入することができ、これによって複数の受動突起１４で形成されるキーウェイを様々に変更することができ、鍵違いを飛躍的に多くすることができる。」（６欄１〜１７行）
　エ　第３、４、６〜９図をみると、鍵板９の操作凹部１２、１３が有底で、複数種類の大きさと深さの摺り鉢形の窪みとして形成されていることがみてとれる。
（７）甲第７号証
　請求人が無効理由に係る証拠として提出した、本件特許の優先日前に頒布された刊行物である甲第７号証には、次の事項が記載されている。
　ア　「鍵１の側面に任意位置と任意深さに解錠穴２ａ、２ｂ、２ｃ……を設け、錠前３のシリンダー４に鍵孔５を穿設し、該鍵孔５に直交する方向を有する数個のタンブラー嵌入孔９を穿設し、該タンブラー嵌入孔９にタンブラー６を発条７を介して埋設し、該タンブラー６に前記鍵１の解錠穴に適合すべき位置と突出度を夫々有し、該解錠穴に挿入可能に先端を先細状に成形した解錠穴と同数の解錠突起８を錠前３の鍵孔５方向に突出するよう斜状に突設したことを特徴とする解錠装置。」（実用新案登録請求の範囲）
　イ　「本案は鍵に解錠穴と又之に適合すべき斜状の突起を錠前のタンブラーに設け、両者の複雑な適合によってのみ解錠出来る様にした解錠装置に係るもので、使用者以外の者の解錠の困難な解錠装置を提供せんとするものである。」（１欄２７〜３１行）
　ウ　「…タンブラー６の中央部には下方より鍵貫通孔１５を穿設する。該鍵貫通孔１５に解錠突起８を、該孔１５を一部遮る如く突設する…」（２欄３３〜３５行）
　エ　第２〜４図をみると、タンブラー６の鍵貫通孔１５の開口端縁に先端を先細状に成形した解錠突起８が一体に突設されていること、また、鍵１の解錠穴２ａ、２ｂ、２ｃが有底で所定の深さの摺り鉢形の窪みとして形成されていることがみてとれる。
（８）甲第８号証
　請求人が無効理由に係る証拠として提出した、本件特許の優先日前に頒布された刊行物である甲第８号証には、「電気機器用錠の鍵」（意匠に係る物品）の意匠について、次の事項が記載されている。
　ア　正面図、Ａ−Ａ線断面図は次のものである。
　イ　正面図、Ａ−Ａ線断面図をみると、ブレードに有底で複数種類の大きさを有する摺り鉢形の窪みを形成した「電気機器用錠の鍵」がみてとれる。
（９）甲第９号証
　請求人が無効理由に係る証拠として提出した、本件特許の優先日前に頒布された刊行物である甲第９号証には、「鍵材」（意匠に係る物品）の意匠について、次の事項が記載されている。
　ア　山切り加工状態を示す参考正面図は次のものである（審決で右９０°回転させた。）。
　イ　山切り加工状態を示す参考正面図をみると、ブレードに有底で複数種類の大きさの摺り鉢形の窪みを形成した「鍵材」がみてとれる。
（１０）甲第１０号証
　請求人が無効理由に係る証拠として提出した、本件特許の優先日前に頒布された刊行物である甲第１０号証には、次の事項が記載されている。
「鍵（Ａ）は断面大略矩形状の帯板状で、その鍵片部における側面（Ａ１）に鍵部（１０）を、ピンタンブラ（６）をレベル合致状態に作動し得るよう所定の深さ関係に凹設する、一方板面（Ａ２）にはその両面に鍵部（１１）（１１）を、ピンタンブラ（７）（７）をレベル合致状態に作動し得るよう所定の深さ関係に凹設する。
　各鍵部（１０）（１１）（１１）は夫々大略倒円錐台形状に凹設形成する。」（明細書４頁３〜１０行）
（１１）甲第１１号証
　請求人が無効理由に係る証拠として提出した、本件特許の優先日前に頒布された刊行物である甲第１１号証には、次の事項が記載されている。
「【００１２】
…
鍵孔１１に挿入されるキーＫは、先端に傾斜面１４が形成され、挿入されたときに各タンブラピン１３と相対するディンプル１５ａ〜１５ｅが設けられる（図２及び図４参照）。
【００１３】
　ディンプル１５ａ〜１５ｅは、小判形状のアウトラインをもった凹状に形成され、底面には楔状の斜面を有する楔状凹部１６が設けられる（図５参照）。
　楔状凹部１６の向きは、それぞれキーの幅方向に対して設定した角度を有し、本実施例では、ディンプル１５ａの楔状凹部１６は反時計方向に１５度、ディンプル１５ｂの楔状凹部１６は時計方向に１５度、ディンプル１５ｃの楔状凹部１６は反時計方向に３０度、ディンプル１５ｄの襖状凹部１６は０度、ディンプル１５ｅの楔状凹部１６は時計方向に１５度の角度を有する（図４参照）。」
（１２）甲第１２号証
　請求人が無効理由に係る証拠として提出した、本件特許の優先日前に頒布された刊行物である甲第１２号証には、次の事項が記載されている。
　ア　「第１図、第２図及び第３図を説明すると、キー１の平面にタンブラーピン４、１７に合致し、鍵違いを構成する挿入穴１１とタンブラーピン４、１７を挿入させない部分１０とタンブラーピン４、１７を途中までしか挿入させない様に穴１１を皿もみして面取りした穴１２と穴１３がある。」（１欄２８〜３３行）
　イ　「…又、キーの穴は図面に示すものは貫通穴になっているが凹穴にしてしもよく、又皿穴の様に面取りだけで円錐状になっていてもよい。」（４欄２７〜３０行）
（１３）甲第１３号証
　請求人が無効理由に係る証拠として提出した、本件特許の優先日前に頒布された刊行物である甲第１３号証には、次の事項が記載されている。
　ア　「【００２１】図において、１は、錠の鍵２によって回動可能な錠シリンダ３を収容する錠本体を示す。特に、本発明の両方向に操作可能な実施例を示す図１を参照して、錠シリンダ３は、錠の開放組合せを決め且つ錠シリンダ３に回動不能に支持された中間円板５によって互いから分離された、一組のコードロック円板４を囲う。さらに、円板４、５を含む円板の組の各端に、錠の中で鍵が回動されるとき、鍵と共に連続的に回動する、所謂リフトゼロのロック円板６がある。ロック作用の観点からは、特に最前部ゼロロック円板が該円板の組の鍵挿入端で最初の円板である必要がないが、実際にはしばしばこれがあり得る。ロック円板４及び６は、鍵用の対抗面を含む、それぞれ、鍵開口４ａ及び６ａ並びに両回動方向に、それぞれ、周辺切欠き４ｂ及び６ｂを有する。」
　イ　「【００２６】図１の錠機構の基本作用によれば、該機構を開け又は解放すべきときは、錠の鍵２によってロック円板４及び６が回動される。特に、各ロック円板が問題のロック円板のために該鍵に作った組合せ面によって決る通りに回動し、周辺切欠き４ｂ又は６ｂがそれぞれ錠シリンダ３のスロット８及びロックバー７の位置にあるようにする。それで、周辺切欠き４ｂ及び６ｂで一様なチャンネルができ、その中へロックバー７が動け、それによって錠シリンダ３を錠本体１に対して回動できるように解放する。」
　ウ　図５ａ〜５ｇ、図７、図８ａ〜８ｃ、及び図９ａ、９ｂをみると、コードロック円板４が、その中央部に鍵用の対抗面を含む鍵開口４ａを有するとともに、その周囲にロックバー７が入る周辺切欠き４ｂを有し、環状に成形されたものであることがみてとれる。
（１４）甲第１４号証
　請求人が無効理由に係る証拠として提出した、本件特許の優先日前に頒布された刊行物である甲第１４号証には、次の事項が記載されている。
　ア　「（１）外筒と内筒との間にサイドバー、内筒中に前記サイドバーの動作を規制する複数のディスクを配備した錠装置において、前記各ディスクは、サイドバーと直交して往復動自在に配備され、それぞれ面内にはスリット状鍵孔および鍵孔の対角線上に位置したコーナ部に鍵の傾斜刻みに適合する高さおよび傾斜角の突部を形成すると共に、一側辺にはサイドバーの係合する凹部、他の側辺には、該凹部をサイドバー位置からずらせるバネを連繋して成るを特徴とする錠装置。
（２）ディスクは、金属板の打抜き成形体である特許請求の範囲第１項記載の錠装置。
（３）ディスクの凹部はサイドバーの端部断面形状に適合する形状に形成されている特許請求の範囲第１項記載の錠装置。」（特許請求の範囲）
　イ　「…ディスク４は、内筒１の装填部２１に適合する幅および内筒直径より摺動分だけ短い長さの金属製平板に形成し、装填部２１中ヘサイドバー３に直交してそれぞれ往復可能に配備され、面内には、鍵軸断面と一致するスリット状の鍵孔４１および鍵孔４１の対角線上に位置したコーナ部に、鍵を挿入したとき、対応する鍵の傾斜刻みに適合する高さおよび傾斜角の突部４２を形成している。また各ディスク４のサイドバー３と対応する側辺には、突部４２の高さに応じて鍵孔方向に位置をずらせてサイドバー３の適合する凹部４３、該凹部の側方には多数のＶ状凹凸部４５を形成している。更に、他の側辺には凹部４４を形成して内筒２のバネ装填部２３に係合したＵ状復帰バネ７の両バネ片７１を係合し、各凹部４３をサイドバー３の位置からずらせている。」（３頁左上欄１４行〜右上欄１０行）
　ウ　第１、３、４図をみると、鍵孔１６は内筒２の中心軸線に関して点対称であることがみてとれる。
（１５）甲第１５号証
　請求人が無効理由に係る証拠として提出した、本件特許の優先日前に頒布された刊行物である甲第１５号証には、次の事項が記載されている。
　ア　「【０００９】
　ケース１に回動可能に嵌挿されるロータ５は、前端部に鍔部６が周設され後部に角軸部７が延設され、角軸部の角に雄ねじ８が螺設される（図１参照）。
　鍔部６の外周面に、鍵孔９を有するキャップ１０が嵌着され、ロータ５の前端部の開口１１にピン１２の両端部が固着され、ピン１２に枢着されるシャック１３が、ピン１２に巻回されるスプリング１４により、鍵孔９を閉鎖する方向に付勢される（図６参照）。
【００１０】
　ロータ５の内部に形成される収容室１５は、前部の開口１１に連通し、収容室１５に設けられる隔壁１６により４つの区画に区分される（図１参照）。
　ロータ５の外周面に設けられるバー挿入孔１８は、ロータ５の長手方向に平行な長溝１８ａと、長溝１８ａより収容室１５に貫通する細長孔１８ｂとにより構成される（図２参照）。
　収容室１５の内壁面には、バー挿入孔１８の反対側に穿設された孔により、後述するディスクタンブラ２３の突起２６が係合する突起係合部１９が形成される。
……
【００１３】
　収容室１５の各区画にそれぞれ挿入されるディスクタンブラ２３は、ほぼ中央部にキー挿入孔２４が設けられ、外周面のー側（図２において右側）に、サイドバー２０の後端部２０ｂが係脱する係合溝２５が設けられ、他側に突起２６が形成される。
　突起２６は、収容室１５の突起係合部１９に係入するが、突起係合部１９に対して滑り接触が可能である。
【００１４】
　ディスクタンブラ２３の右側上面と収容室１５の上壁面との間にスプリング２７が挿入され、ディスクタンブラ２３は、突起２６を支点として時計方向に付勢され（図２参照）、キー挿入孔２４がキーに押されたときに、ディスクタンブラ２３が反時計方向に回動して、係合溝２５とバー挿入孔１８が一致し、サイドバー２０が係合溝２５に係入するようになっている。
【００１５】
　キー挿入孔２４は、突起２６と係合溝２５のほぼ中央に位置するので、突起２６を支点としてディスクタンブラ２３が回動するとき、係合溝２５の移動量はキー挿入孔２４の移動量の約２倍になる。
…」
　イ　「【００１９】
　正規のキーを鍵孔９に挿通すると、キーが各ディスクタンブラ２３のキー挿入孔２４の内面を押動し、各ディスクタンブラ２３は突起２６を支点として反時計方向に回動し、係合溝２５がバー挿入用孔１８に一致する（図３参照）。
　次に、キーに解錠方向の回動力を加えると、ロータ５と共に回動しようとするサイドバー２０の先端部２０ａがケース１のバー挿入溝２２から押し出され、後端部２０ｂが係合溝２５に挿入されるので、ロータ５が回動可能になり（図４参照）、キーにより解錠操作することができる。」
　ウ　上記アを踏まえて図６をみると、鍵孔９はロータ５の中心軸線に関して点対称であることがみてとれる。
（１６）甲第１６号証
　請求人が無効理由に係る証拠として提出した、本件特許の優先日前に頒布された刊行物である甲第１６号証には、次の事項が記載されている。
　ア　「扉に固定される外筒１と、該外筒１に回転可能に収容される内筒２と、該内筒２に設けた溝状孔部３に収容され、外筒１の内壁面の溝部４に一部を没入することにより内筒２を錠止するロックバー５と、内筒２に収容され、鍵６の挿入時にその外周面の錠止受溝７がロックバー５の内側突部が没入可能な位置、すなわち、ロックバー５が外筒の前記溝部４から脱出可能な位置に来るまで回転する複数枚のディスクタンブラー８と、内筒２の前面の内筒カバー９と内筒２の後部の２箇所で固定され、該ディスクタンブラー８の中心部を貫く案内軸棒１０とから成る回転ディスク型シリンダー錠装置。」（特許請求の範囲）
　イ　「（作用）
　施錠状態においてディスクタンブラー８は、各ディスクタンブラー８のバネ入れ凹部１１に収容されて一端が該凹部１１の壁面１２に当接し、他端がスペーサー１３のバネ受突起１４に当接したコイルバネ１５の弾発作用を受けている。ディスクタンブラー８の該バネ１５による回転は、ディスクタンブラー８の停止用突起１６が内筒２に設けた回転切欠１７の端面に衝接することによって規制され、内筒２はロックバー５の介在によって外筒１に対して回転不能に錠止されている。
　装置正面の鍵挿入口２４より鍵６を挿入するとディスクタンブラー８の鍵孔１８の一端面が鍵６の先端部に形成されている斜面によって押されるので、各ディスクタンブラー８は前記バネ１５の弾発作用に抗して回転する。鍵山形状に対応した角度だけ各ディスクタンブラー８がそれぞれ回転したとき、各ディスクタンブラー８の錠止受溝７はロックバー５の内側凸部１９が没入可能なように一直線上に整列している。
　ロックバー５は上記凸部１９と内筒の溝状孔部３との間に挿入されたコイルバネ２０の弾発作用によって、その一部を外筒１の溝部４に没入させている。ここで、鍵６を操作して内筒２を外筒１に対して回転させる力を加えると、ロックバー５が上記溝部４の斜面に押されて該溝部４から脱出して、内側凸部１９が錠止受溝に没入する。これによって内筒２とディスクタンブラー８は一体回転可能となり、案内軸棒１０を中心に回転する。」（２頁左上欄１９行〜左下欄７行）
　ウ　第３〜５図、第１３図をみると、ディスクタンブラー８は環状であることがみてとれる。
（１７）甲第１７号証
　請求人が無効理由に係る証拠として提出した、本件特許の優先日前に頒布された刊行物である甲第１７号証には、次の事項が記載されている。
　ア　「【００１５】
【実施例】図中、１は、回転可能な内部シリンダ２をその内部に有するシリンダハウジングを示す。内部シリンダ２は、円板の堆積を包囲する。この堆積は、ロック機構の開口部の組合わせを決定する周辺ノッチ２０とキー開口部７とを有し錠のキー１２で回転可能な幾つかの標準的なロック用円板４と、キー開口部６を有する少くとも１つの持上げ０−ロック用円板３とを含む。ロック用円板は、キー開口部８を有する中間円板５によって相互に分離される。また、ロック機構は、その施錠位置でシリンダハウジング１に対する内シリンダ２の回転を阻止する様にシリンダハウジング１の溝３０に部分的に配置されて、内部シリンダのスロット９に部分的に配置されるロック用バー１０を有している。ロック用円板は、所定の位置へ錠のキー１２によって回転されてもよく、その位置では、周辺ノッチ２０は、均等なチャンネルを錠の軸線方向において内部シリンダ２のスロット９の位置に形成する。ロック用バー１０は、シリンダハウジング１の溝３０からこのチャンネルへ進入し、これにより、シリンダハウジング１に対してキーと一緒に回転する様に内部シリンダ２を解放する。…」
　イ　「【００１９】図２は、錠に含まれる標準的なロック用円板４を示す。ロック用円板４のキー開口部７は、２つの対称的に配置された段２１を有し、段２１は、キーにおいて切削されるべき組合わせ面２７（図５参照）と協働する組合わせ面２２と、戻し面２３とを有し、戻し面２３は、キーがロック機構のロックを解いた後に最初の位置に戻されるとき、案内要素１４の作用の下で、上述の様にロック機構の施錠位置に対応するロック用円板４の最初の位置に戻る円板４の回転を生じさせる。また、キー開口部７は、周辺ノッチ２０とキー開口部７との間の距離Ａが製造技術および強さの点で充分である様に、即ち、距離Ａが好ましくは少くとも１ｍｍである様に、形成された彎曲面２４を有している。」
（１８）甲第１８号証
　請求人が無効理由に係る証拠として提出した、本件特許の優先日前に頒布された刊行物である甲第１８号証には、次の事項が記載されている。
　ア　「【０００１】
【発明の属する技術分野】この発明は、ピンタンブラー錠、ディスクタンブラー錠及びレバータンブラー錠（ロータリーディスクタンブラー錠）を含むシリンダー錠に係り、特にピッキングによる不正解錠を不可能にした新規なシリンダ錠に関する。」
　イ　「【００３０】…レバータンブラー錠は、合鍵の鍵溝によりタンブラー３を動かして、その自由外端縁に形成された解錠切欠１９を、内筒２の母線に沿って延在するロッキングバー２１の内端縁に整合させ、内筒の回動時、外筒１の内周面の母線に沿って形成された断面Ｖ字形の溝に係合するロッキングバー２１を楔作用により内筒の半径方向に変位させて、内筒を回動可能にするものであり、‥」
　ウ　図６をみると、従来技術のタンブラー３が、ほぼ中央に鍵穴４を形成した環状のものであることがみてとれる。
２　無効理由１について
（１）本件特許発明と甲１発明との対比
　本件特許発明と甲１発明とを対比する。
　ア　甲１発明の「壁」が「ベルマウス開口部を形成するように傾斜又は湾曲して」いる「リセス１１」は、本件特許発明の「横断面形状が略Ｖ字形のカム溝」に相当し、甲１発明の「ボディ１０」は、本件特許発明の「外筒」に相当し、甲１発明の「その壁の長手方向に延びるリセス１１を有する実質的に円筒形の空洞を形成する」は、本件特許発明の「内周面の母線に沿って横断面形状が略Ｖ字形のカム溝を形成した」に相当する。
　イ　甲１発明の「中空の略円筒状」の「バレル１３」は、本件特許発明の「内筒」に相当し、
　甲１発明の「バレル１３」は、「前面には」、「鍵１６の対応する矩形のシャンクを挿入することができ」る「矩形の開口１５があ」り、「各キャリア２２」の「鍵１６のシャンクを受け入れるのに適した形状の開口２３」が「中心軸に沿って貫通し」ているから、「中心軸線に沿って鍵孔を貫通させた」といえ、
　さらに、甲１発明の「バレル１３」は、「ボディ１０」の「空洞を占め」、「ボディ１０に対して角度移動可能」なので、「外筒に回転自在に嵌合し」ているといえる。
　ウ　甲１発明の「バレル１３内に配置されている複数の円盤状のセキュリティ・メンバー２１」と「組み合わされ」る「各キャリア２２」は、本件特許発明の「間隙を介して中心軸線方向に積層された複数の仕切板」に相当し、
　甲１発明の「等しい数のキャリア２２のーつと組み合わせられ」、「バレル１３内に配置され」、「中央開口があ」る「複数の円盤状のセキュリティ・メンバー２１」は、本件特許発明の「上記仕切板の間の各スロットに」「挿設」された「中央部に前記内筒の中心軸線に関して点対称に形成された鍵孔を包囲し得る大きさの鍵挿通孔２６を形成した環状ロータリーディスクタンブラー」に相当する。
　エ　甲１発明の「通常はリセス１１と」「バレル１３」の「壁の長手方向に延びる」「スロットを専有する長手方向に延び」、「引き込む手段」により「リセス１１内に」引き込まれる「ロッキングバー１４」は、
　本件特許発明の「この内筒の母線に沿って延在し、内筒の外周部において半径方向に移動可能に案内されると共に、上記カム溝と係合する外側縁が外方に突出する方向に付勢されたロッキングバー」に相当する。
　オ　甲１発明の「中央開口」は、「キャリア２２」の「中心軸に関して点対称」の「鍵１６のシャンクを受け入れるのに適した形状」の「開口２３」に挿入される鍵１６が通るから、本件特許発明の「中央部に前記内筒の中心軸線に関して点対称に形成された鍵孔を包囲し得る大きさ」の「鍵挿通孔２６」に相当する。
　カ　甲１発明の「ノッチ２１ｂ」は、本件特許発明の「解錠切欠」に相当し、甲１発明の「円盤状のセキュリティ・メンバー２１」は、「その実体部であり、円弧の一部をなす外周縁に」、「ノッチ２１ｂ」を有することと、本件特許発明の「環状ロータリーディスクタンブラー」の「鍵挿通孔を挟んで上記支軸と対峙する」「実体部であり、円弧の一部をなす自由端部外側端縁に解錠切欠を形成」することは、「環状ロータリーディスクタンブラーの実体部であり、円弧の一部をなす外周縁に解錠切欠を形成する」点で共通する。
　キ　甲１発明の「鍵１６」、「シャンク」及び「突起２４」は、本件特許発明の「鍵」、「ブレード」及び「係合突起」に、それぞれ相当し、
　甲１発明の「各メンバー２１には中央開口があり、その中に鍵１６のシャンクの側壁の窪み２５内に係合するための実質的に円周方向に延びる突起２４を有」することと、
　本件特許発明の「ロータリーディスクタンブラー」の「鍵挿通孔の開口端縁に、先端の移動軌跡が鍵孔に挿入されたリバーシブルである合鍵のブレードの平面部と干渉する係合突起を一体に突設」することは、
　「ロータリーディスクタンブラー」の「鍵挿通孔の開口端縁に、先端の移動軌跡が鍵孔に挿入された」「合鍵のブレードの平面部と干渉する係合突起を一体に突設」する点で共通する。
　ク　甲１発明の「適切な鍵１６がすべてのメンバー２１の中央開口を通して正しく挿入されると弾性手段の影響を受けて突起２４はすべて、適切な深さの窪み２５に係合され」ることは、突起２４が鍵１６の窪み２５に係合する方向に付勢されていることを意味するから、本件特許発明の「各ロータリーディスクタンブラーをこの係合突起が合鍵に近接する方向に付勢する」ことに相当する。
　ケ　甲１発明の「バレル１３と各メンバー２１の相対的な回転方向運動を」「停止手段」により「制限する」ことと、本件特許発明の「各ロータリーディスクタンブラーを」「常態では内筒を軸線方向に貫通するバックアップピンに係止」することは、「各ロータリーディスクタンブラーの回転方向運動を制限する」点で共通する。
　コ　甲１発明の「適切な鍵１６がすべてのメンバー２１の中央開口を通して正しく挿入されると弾性手段の影響を受けて突起２４はすべて、適切な深さの窪み２５に係合され、複数のメンバー２１のノッチ２１ｂとバレル１３のスロットは位置合わせされ」ることは、
　本件特許発明の「これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにした」ことに相当する。
　サ　甲１発明の「鍵操作可能な錠」は、本件特許発明の「ロータリーディスクタンブラー錠」に相当する。
　シ　甲１発明の「周囲を傾斜面で囲まれた円形の底面を有」する「窪み２５」は、本件特許発明の「有底で」「摺り鉢形の窪み」に相当し、
　甲１発明は、「適切な鍵１６がすべてのメンバー２１の中央開口を通して正しく挿入されると弾性手段の影響を受けて突起２４はすべて、適切な深さの窪み２５に係合され」るから、
　甲１発明の「鍵１６のシャンクには、周囲を傾斜面で囲まれた円形の底面を有し、大きさの異なる複数の窪み２５が設けられ、窪み２５は、３つの深さを選択できるようになって」いることと、
　本件特許発明の「鍵孔に挿入されたときロータリーディスクタンブラーの突出量が一定である前記係合突起の先端と整合するブレードの平面部に、有底で複数種類の大きさと深さの摺り鉢形の窪みを形成」することは、
　「鍵孔に挿入されたときロータリーディスクタンブラーの係合突起の先端と整合するブレードの平面部に、有底で複数種類の大きさと深さの摺り鉢形の窪みを形成する」点で共通する。
　ス　甲１発明の「適切な鍵１６がすべてのメンバー２１の開口部を通して正しく挿入されると」「突起２４はすべて」、「３つの深さ」の「窪み２５に係合され、複数のメンバー２１のノッチ２１ｂとバレル１３のスロットは位置合わせされ、回転方向運動が鍵１６に付与されるとロッキングバー１４はボディ１０のリセス１１からバレル１３のスロットと複数メンバー２１の複数のノッチ２１ｂの収納されるべき位置に移動し、バレル１３とメンバー２１がボディ１０に対して角度移動可能とな」ることと、
　本件特許発明の「この窪みが対応する前記係合突起と係合したとき、該タンブラー群が前記摺り鉢形の窪みの深さやブレードの幅方向の位置に対応して揺動角度が変わることにより、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにした」こととは、
　甲１発明の「ロータリーディスクタンブラー」の支軸を中心とした「揺動」は、「回動」ともいえることを踏まえると、
　「この窪みが対応する係合突起と係合したとき、タンブラー群が摺り鉢形の窪みの深さに対応して回動角度が変わることにより、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにした」点で共通する。
　セ　そうすると、両者は、
「内周面の母線に沿って横断面形状が略Ｖ字形のカム溝を形成した外筒と、
この外筒に回転自在に嵌合し、間隙を介して中心軸線方向に積層された複数の仕切板を設けると共に、中心軸線に沿って鍵孔を貫通させた内筒と、
この内筒の母線に沿って延在し、内筒の外周部において半径方向に移動可能に案内されると共に、上記カム溝と係合する外側縁が外方に突出する方向に付勢されたロッキングバーとを有し、
上記仕切板の間の各スロットに、中央部に前記内筒の中心軸線に関して点対称に形成された鍵孔を包囲し得る大きさの鍵挿通孔２６を形成した環状ロータリーディスクタンブラーを挿設し、
環状ロータリーディスクタンブラーの実体部であり、円弧の一部をなす外周縁に解錠切欠を形成し、
一方、鍵挿通孔の開口端縁に、先端の移動軌跡が鍵孔に挿入された合鍵のブレードの平面部と干渉する係合突起を一体に突設し、各ロータリーディスクタンブラーをこの係合突起が合鍵に近接する方向に付勢すると共に、各ロータリーディスクタンブラーの回転方向運動を制限し、
他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、
鍵孔に挿入されたときロータリーディスクタンブラーの前記係合突起の先端と整合するブレードの平面部に、有底で複数種類の大きさと深さの摺り鉢形の窪みを形成し、
この窪みが対応する前記係合突起と係合したとき、該タンブラー群が前記摺り鉢形の窪みの深さに対応して回動角度が変わることにより、各ロータリーディスクタンブラーの解錠切欠がロッキングバーの内側縁と整合するようにし、
以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠用の鍵。」 
の点で一致し、次の点で相違する。 
＜相違点１＞
　環状ロータリーディスクタンブラーの回動機構、及び回動軸と係合突起、解錠切欠の突設位置に関し、
　本件特許発明では、環状ロータリーディスクタンブラーの実体部の１ヵ所を、内筒を軸線方向に貫通する支軸に揺動可能に軸支すると共に、鍵挿通孔の開口端縁に合鍵のブレードの平面部と干渉する係合突起を一体に突設し、鍵挿通孔を挟んで支軸と対峙するロータリーディスクタンブラーの実体部であり、円弧の一部をなす自由端部外側端縁に解錠切欠を形成したのに対し、
　甲１発明では、セキュリティ・メンバー２１は、その組み合わされるキャリア２２のボス部２２ａの周りに回転方向に移動可能に軸支される中央開口を有し、中央開口の中に鍵１６のシャンクの側壁の窪み２５内に係合するための実質的に円周方向に延びる突起２４を有し、セキュリティ・メンバー２１の実体部であり、円弧の一部をなす外周縁にノッチ２１ｂを有する点。
＜相違点２＞
　環状ロータリーディスクタンブラーの回転方向運動を制限する手段に関し、
　本件特許発明では、各環状ロータリーディスクタンブラーを、常態では内筒を軸線方向に貫通するバックアップピンに係止するのに対し、甲１発明では、具体的な構成が不明な点。
＜相違点３＞
　合鍵の構造に関し、本件特許発明では、リバーシブルであるのに対し、甲１発明では、リバーシブルであるか否か不明な点。
＜相違点４＞
　合鍵の窪みに関し、本件特許発明では、窪みは、ロータリーディスクタンブラーの突出量が一定である係合突起と係合したとき、タンブラー群が窪みの深さやブレードの幅方向の位置に対応して揺動角度が変わるものであるのに対し、
　甲１発明では、窪み２５は、突起２４が係合したとき、各セキュリティ・メンバー２１が窪みの深さに対応して回動角度が変わるものである点。
（２）判断
　ア　相違点２について
　まず、上記相違点２について検討すると、本件特許発明は「鍵」であり、錠の構成要素である環状ロータリーディスクタンブラーの回転方向運動を制限する手段の具体的構成の差異によって鍵自体の構成に差異が生じるものではないから、上記相違点２は、実質的に相違点ではない。
　イ　相違点３について
　鍵をリバーシブルとすることは、例えば甲第２号証及び甲第６号証に記載のように周知技術であり（上記１（２）及び（６）を参照。）、甲１発明において、鍵１６をリバーシブルとすること、すなわち上記相違点３に係る本件特許発明の構成とすることは当業者が適宜なし得ることである。
　ウ　相違点１及び４について
　上記相違点１及び４について併せて検討する。
（ア）本件特許発明における相違点１及び４に係る構成により、錠の係合突起の先端と合鍵のブレード平面部に形成された対応する窪みとの関係は以下の図から理解されるように、係合突起の先端が深い窪みに入るほどブレードの平面幅方向中心にずれるものである。 
 ＜図：本願の図１０＞
　解錠切欠９とその右側に点線で表された３つの切欠は、解錠切欠９の形成角度が異なる４種類のロータリーディスクタンブラーが用いられることを表している。係合突起２９の突出量は一定であり、換言すれば、支軸２３の中心と係合突起２９の先端との距離は一定であって、係合突起２９が合鍵のブレードの窪み２５に係入してその底面に当接したとき、窪み２５の深さに応じてロータリーディスクタンブラー２７の揺動角度を変化させ、解錠切欠９をロッキングバー６の内側縁に整合させるようにしている。
　そうすると解錠状態では、一番左に解錠切欠９があるロータリーディスクタンブラーでは係合突起２９は図のように右下に下がり、解錠切欠を右側に設けたロータリーディスクタンブラーほど時計回りに回転した位置となって係合突起２９は左上に上がるから、係合突起と係合する鍵の窪みの位置と深さは、鍵のブレードの中心に寄るものほど深くなり、支軸２３を中心とする円弧に沿っている。
　すなわち、鍵の窪みの深さに応じてその位置がブレードの幅方向において微妙に変化することとなる。 
　なお、本件特許の図１３の実施例においても、係合突起と係合する鍵の窪みの位置と深さが支軸２３を中心とする円弧に沿ったものとなる点では同様であるので、便宜上図１０の実施例に基づいて検討した。
　請求人は、「タンブラーの係合突起の先端」が「摺り鉢形の窪みの底面の中心に当接する」というのなら、鍵の構成に間接的に言及しているといえるが、そのような限定は本件特許請求項２に存在せず、「タンブラーの突出量が一定である係合突起の先端」と「ブレードの摺り鉢形の窪み」との係合関係が、鍵の構成を規定する記載となっていない旨主張するが、本件特許発明は、「窪みが対応する」「係合突起と係合したとき、該タンブラー群が」「摺り鉢形の窪みの深さやブレードの幅方向の位置に対応して揺動角度が変わる」ものであって、上記検討のとおり、窪みの位置と深さが支軸を中心とする円弧に沿ったものと認められるから、採用できない。
（イ）他方、甲１発明では、窪み２５の深さに応じてセキュリティ・メンバー２１の回動角度が変わるものであるが、セキュリティ・メンバー２１は、中央部開口においてキャリア２２のボス部２２ａの周りに軸支され、該中央部開口の中に突起２４を有するから、個々のセキュリティ・メンバー２１の突起２４に係合する窪み２５に着目した場合、窪み２５の位置と深さは、鍵のシャンクの中心に寄るものほど浅くなり、ボス部２２ａの中心をその中心とする円弧に沿うことになるものと解される。
　しかし、甲１発明において、各セキュリティ・メンバー２１の突起２４の突出量が一定であるかは不明なため、鍵のシャンクに設けられた複数の窪み２５のシャンクの幅方向の位置と深さの関係は不明であるし、そもそも甲第１号証には、窪み２５の深さを異なるものとすることは記載されているが、上述のように、窪み２５の位置と深さが、鍵のシャンクの中心に寄るものほど浅くなり、ボス部２２ａの中心をその中心とする円弧に沿うものであることを認識するような記載もない。
（ウ）上記（ア）及び（イ）の検討を踏まえると、上記相違点１及び４は、鍵の構成の相違としては以下のように言い換えることができる。
＜相違点（１、４）＞
　鍵の窪みの深さとブレードの幅方向の位置は、
　本件特許発明では、係合突起と係合する窪みの位置と深さは、支軸を中心とする円弧に沿ったものであるのに対し、
　甲１発明では、鍵のシャンクに設けられた複数の窪み２５のシャンクの幅方向の位置と深さの関係が不明である点。
（エ）そこで、上記相違点（１、４）について、改めて検討する。
　その実体部の１ヵ所を内筒を軸線方向に貫通する支軸に揺動可能に軸支するレバータンブラーは、甲第２ないし４号証に記載のように周知技術である（上記１（２）ないし（４）を参照。）。
　しかし、甲１発明のセキュリティ・メンバー２１は、円盤状で、その中央開口において、キャリア２２のボス部２２ａの周りに軸支されるものであって、上記周知技術のレバータンブラーとは、その形状及び動作機構（揺動軸又は回動軸と係合突起と解錠切欠との位置関係等）が異なること、並びに甲第２ないし４号証に記載された合鍵は、いずれもタンブラーに突設した突出量が一定の係合突起と係合する窪みをブレードの平面部に形成したものでもないことに照らせば、甲１発明において、上記相違点（１、４）の構成とすることが当業者にとって容易であるとすることはできない。
　また、甲第６号証及び甲第８号証は、リバーシブルの鍵が周知であることの根拠として提示されたものであって、それらに記載された事項（上記１（６）及び（８）を参照。）も、甲１発明において、上記相違点（１、４）に係る本件特許発明の構成とすることを教示するものではない。
　なお、請求人は、上記相違点（１、４）に係る本件特許発明の構成に関し、本件特許発明は「鍵」であり、錠の構成である支軸によって鍵の構成に差異が生じるものではなく、実質的に相違点ではない旨、及び甲１発明においても鍵の窪みは、その深さとブレードの幅方向の位置が、揺動による円弧に沿ったものである旨主張するが、上記検討のとおりであっていずれも採用できない。
（３）小括
　以上のとおりであるから、本件特許発明は、甲第１発明、甲第２号証ないし甲第４号証に記載された周知技術、並びに甲第２号証、甲第６号証及び甲第８号証に記載された周知技術に基づいて当業者が容易に発明をすることができたものとはいえない。
３　無効理由２について
（１）本件特許発明と甲２発明との対比
　本件特許発明と甲２発明とを対比する。
　ア　甲２発明の「内筒部２５」は、本件特許発明の「内筒」に相当し、以下同様に、「解錠切欠き２８」は「解錠切欠」に相当し、「キー本体１２」は「ブレード」に相当する。 
　イ　甲２発明の「鍵挿通切欠」と本件特許発明の「鍵挿通孔」とは、「鍵挿通部」である点で共通し、甲２発明の「Ｃ字状のレバータンブラー（２９）」は回転するタンブラーであるから、本件特許発明の「環状ロータリーディスクタンブラー」と「ロータリータンブラー」である点で共通する。
　ウ 甲２発明の「キー本体１２の端縁部と干渉」し、「キー本体１２に谷の底部３、３ａを内に凸の曲面の傾斜面として形成された刻みと係合したとき、当該刻みに対応して各レバータンブラー２９の揺動角度が変わ」る「係合縁部」と、
　本件特許発明の「ブレードの平面部と干渉」し、「ブレードの平面部に形成された対応する有底で複数種類の大きさと深さを有する摺り鉢形の窪みと係合したとき、該タンブラー群が前記摺り鉢形の窪みの深さやブレードの幅方向の位置に対応して揺動角度が変わる」「係合突起」とは、
　「ブレードと干渉」し、「ブレードに形成された対応する有底で複数種類の大きさと深さを有する窪みと係合したとき、タンブラー群が前記窪みの深さや位置に対応して揺動角度が変わる」「係合部」である点で共通する。
　エ　そうすると、両者は、
「内周面の母線に沿って横断面形状が略Ｖ字形のカム溝を形成した外筒と、
この外筒に回転自在に嵌合し、間隙を介して中心軸線方向に積層された複数の仕切板を設けると共に、中心軸線に沿って鍵孔を貫通させた内筒と、
この内筒の母線に沿って延在し、内筒の外周部において半径方向に移動可能に案内されると共に、上記カム溝と係合する外側縁が外方に突出する方向に付勢されたロッキングバーとを有し、 
上記仕切板の間の各スロットに、中央部に点対称に形成された鍵孔を包囲し得る大きさの鍵挿通部を形成したロータリータンブラーを挿設し、
その実体部の１ヵ所を、内筒を軸線方向に貫通する支軸に揺動可能に軸支すると共に、鍵挿通部を挟んで上記支軸と対峙するロータリータンブラーの実体部であり、円弧の一部をなす自由端部外側端縁に解錠切欠を形成し、
一方、鍵挿通部の開口端縁に、先端の移動軌跡が鍵孔に挿入されたリバーシブルである合鍵のブレードと干渉する係合部を一体的に突設し、
各ロータリータンブラーをこの係合部が合鍵に近接する方向に付勢すると共に、常態では内筒を軸線方向に貫通するバックアップピンに係止し、
他方、これらのタンブラー群の係合部の夫々が鍵孔に挿通された合鍵のブレードに形成された対応する窪みと係合したとき、各ロータリータンブラーの解錠切欠がロッキングバーの内側縁と整合するようにしたロータリータンブラー錠の合鍵であって、
鍵孔に挿入されたときロータリータンブラーの係合部と整合するブレードに対応する窪みを形成し、この窪みが対応する係合部と係合したとき、各ロータリータンブラーの解錠切欠がロッキングバーの内側縁と整合するようにし、
以て、合鍵と一体的に内筒を回動させたとき、カム溝とロッキングバーとの間に生じる楔作用によりロッキングバーを内筒中心軸方向に移動させ、内筒を外筒に対し相対回動できるようにした 
ロータリータンブラー錠用の鍵。」 
の点で一致し、次の点で相違する。 
 ＜相違点５＞ 
　本件特許発明では、「内筒の中心軸線に関して」点対称に形成されている鍵孔を有する錠用の鍵であるのに対し、甲２発明ではそのような鍵孔を有しない錠用の鍵である点。 
＜相違点６＞ 
　本件特許発明では、鍵挿通部が「鍵挿通孔」であって、この「鍵挿通孔」を中央部に形成したロータリータンブラーが「環状ロータリーディスクタンブラー」である錠用の鍵であるのに対して、
　甲２発明では、鍵挿通部が「鍵挿通切欠」であって、この「鍵挿通切欠」を中央部に形成したロータリータンブラーが「Ｃ字状のレバータンブラー」である錠用の鍵である点。
＜相違点７＞ 
　ロータリータンブラーの解錠切欠とロッキングバーの内側縁とを整合させるための構成について、
　本件特許発明では、「ロータリーディスクタンブラー」の開口端縁に一体に「突出量が一定」に突設した「係合突起」の、その先端と、合鍵のブレード「平面部」に形成された「有底で複数種類の大きさと深さの摺り鉢形の窪み」との係合により、「タンブラー群が摺り鉢形の窪みの深さやブレードの幅方向の位置に対応して揺動角度が変わることにより」上記整合を行うものであるのに対して、
　甲２発明では、「Ｃ字状のレバータンブラー」の開口端縁に一体に突設した「係合縁部」と、合鍵のブレードの端縁部と干渉して、当該端縁部に形成された対応する「キー本体１２の端縁部に谷の底部３、３ａを内に凸の曲面の傾斜面として形成された刻み」との係合により、「当該刻みに対応して各レバータンブラー２９の揺動角度が変わって」上記整合を行うものである点。
（２）判断
　ア　上記相違点５及び６について 
　本件特許発明は「鍵」であり、錠の構成要素である鍵孔の位置やロータリータンブラーが環状かＣ字状かによって鍵の構成自体に差異が生じるものではないから、上記相違点５及び６は、実質的に相違点ではない。
　イ　上記相違点７について
（ア）本件特許発明における上記相違点７に係る構成により、錠の係合突起の先端と合鍵のブレード平面部に形成された対応する窪みとの関係は、上記２（２）ウ（ア）における検討と同様に、係合突起の先端が深い窪みに入るほどブレードの平面幅方向中心にずれるものであり、係合突起と係合する鍵の窪みの位置と深さは、鍵のブレードの中心に寄るものほど深くなり、支軸を中心とする円弧に沿っている。すなわち、鍵の窪みの深さに応じてその位置がブレードの幅方向において微妙に変化することとなる。
（イ）上記（ア）を踏まえると、上記相違点７の本件特許発明に係る構成は、鍵としては以下のａ、ｂのとおりと解され、これらの構成が甲２発明にはない点で、両者は相違している。 
　ａ　「合鍵」の「ブレードの平面部に、有底で複数種類の大きさと深さの摺り鉢形の窪み」が形成されている。
　ｂ　さらに、「ロータリーディスクタンブラー」の開口端縁に一体に「突出量が一定」に突設した「係合突起」の、その先端と係合する、合鍵のブレード「平面部」に形成された「有底で複数種類の大きさと深さの摺り鉢形の窪み」を有するから、「鍵の窪みは、その深さとブレードの幅方向の位置が、揺動による円弧に沿ったものである」との構成を有する。 
（ウ）そして、甲第６号証ないし甲第１２号証に示されるブレードの「平面部」に「有底で複数種類の大きさと深さの摺り鉢形の窪み」を有した鍵が周知であったとしても、それは直線的に動作するタンブラー錠用の鍵又はタンブラーの構成が不明な錠用の鍵であって、鍵の「端縁部」における「刻み」で係合する、揺動するタンブラー錠用の鍵である甲２発明の鍵を、甲第６号証ないし甲第１２号証に示された鍵のブレード平面部に設けた窪みを設けたものとすることが当業者にとって容易になし得たということはできない。また、回動する円盤状のタンブラーの係合突起をブレードの平面部の窪みに係合する錠及び鍵が甲第１号証及び甲第５号証に記載のように周知であったとしても、それは、シリンダーの中心軸回りに回転する円盤状のタンブラー錠用の鍵であり、甲２発明の支軸３１に揺動可能に軸支するＣ字状のレバータンブラー２９と甲第１号証及び甲第５号証に記載された円盤状のタンブラーとは、タンブラーの形状及び動作機構（揺動軸又は回動軸と係合突起と解錠切欠との位置関係等）が異なるから、甲第１号証及び甲第５号証に記載のものから、係合突起とそれと係合するブレードの窪みのみを取り出し、甲２発明のレバータンブラー２９及びブレードに適用することが当業者にとって容易になし得たということはできない。
　また、甲第１４及び１５号証は、点対称の鍵穴が周知であること、環状のタンブラーが周知であることの根拠として提示されたものであり、甲第１３号証、甲第１６号証ないし甲第１８号証は、環状のタンブラーが周知であることの根拠として提示されたものであって、それらに記載された事項（上記１（１３）ないし（１８）を参照。）も、甲２発明において、上記相違点７に係る本件特許発明の構成とすることを教示するものではない。
　ウ　請求人の主張について
　請求人は、上記相違点７に係る本件特許発明の構成に関し、鍵の技術分野においてきわめてありふれた「摺り鉢形の窪み」を回動運動する「係合突起」と組合せることは、甲第１号証及び甲第５号証に記載されたように周知であって、当該周知の技術を甲２発明に適用することは容易である旨主張するが、上記イのとおりであって採用できない。
（３）小括
　以上のとおりであるから、本件特許発明は、甲２発明、甲第１号証、甲第６号証、甲第１４号証及び甲第１５号証に記載された周知技術、甲第１号証、甲第５号証及び甲第１３号証ないし甲第１８号証に記載された周知技術、甲第１号証及び甲第５号証に記載された周知技術、並びに甲第６号証ないし甲第１２号証に記載された周知技術に基づいて当業者が容易に発明をすることができたものとはいえない。
４　無効理由３について
（１）本件特許発明と甲５発明との対比
　本件特許発明と甲５発明とを対比する。
　ア　甲５発明の「それを貫通する実質的に筒状の穴を有する外側ハウジング１４」は、本件特許発明の「外筒」に相当し、甲５発明の「カム表面を形成する傾斜した壁５２を有」する「リセス４２」は、本件特許発明の「横断面形状が略Ｖ字形のカム溝」に相当し、甲５発明の「外側ハウジング１４には、縦に延びるリセス４２が設けられ」ることは、本件特許発明の「外筒」に「内周面の母線に沿って」「カム溝を形成した」ことに相当する。
　イ　甲５発明の「その中に実質的に筒状の穴を有し、前記外側ハウジング１４の前記穴で受けられ」る「ロックシリンダー１６」は、本件特許発明の「この外筒に回転自在に嵌合」する「内筒」に相当し、甲５発明の「ロックシリンダー１６」に「錠を作動させるために鍵を受け入れるための鍵穴２４が中心軸線に沿って貫通されて設けられ」たことは、本件特許発明の「内筒」に「中心軸線に沿って鍵孔を貫通させた」ことに相当する。
　ウ　甲５発明の「ロックシリンダー１６の穴に受け入れられて、それに対して回転可能であ」り、「複数のロッキングディスク５８」を「分離」する「スペーサ６０」は、本件特許発明の「間隙を介して中心軸線方向に積層された複数の仕切板」に相当し、
　甲５発明の「スペーサ６０によって分離され」、「鍵のシャンクを受け入れるための中央に形成された開口７４を有」する「複数のロッキングディスク５８」と、
　本件特許発明の「上記仕切板の間の各スロットに」「挿設」された「中央部に前記内筒の中心軸線に関して点対称に形成された鍵孔を包囲し得る大きさの鍵挿通孔２６を形成した環状ロータリーディスクタンブラー」は、
　「上記仕切板の間の各スロットに挿設された中央部に鍵孔を包囲し得る大きさの鍵挿通孔を形成した環状ロータリーディスクタンブラー」の点で共通する。
　エ　甲５発明の「リセス４２のベース４８の中に取り付けられた永久磁石４６によって、引き付けられ」、「通常、リセス４２を占めて」「ロックシリンダー１６」に設けられた「縦のスロット４４内に延び」る「ロッキングバー４０」は、
　本件特許発明の「この内筒の母線に沿って延在し、内筒の外周部において半径方向に移動可能に案内されると共に、上記カム溝と係合する外側縁が外方に突出する方向に付勢されたロッキングバー」に相当する。
　オ　甲５発明の「ゲイティングノッチ」は、本件特許発明の「解錠切欠」に相当し、甲５発明の「各ロッキングディスク５８は」、「外周」に「複数のゲイティングノッチ」を有することと、本件特許発明の「環状ロータリーディスクタンブラー」の「鍵挿通孔を挟んで上記支軸と対峙する」「実体部であり、円弧の一部をなす自由端部外側端縁に解錠切欠を形成」することは、「環状ロータリーディスクタンブラーの外周に解錠切欠を形成する」点で共通する。
　カ　甲５発明の「鍵」、「シャンク」及び「突起７６」は、本件特許発明の「鍵」、「ブレード」及び「係合突起」に、それぞれ相当し、
　甲５発明の「各ロッキングディスク５８」に「鍵が直線的に錠に挿入されるときに鍵と係合するために面取りされた表面７８を有し、突出量が一定である突起７６が前記開口７４内へ実質的に半径の方向に延び」ることと、
　本件特許発明の「ロータリーディスクタンブラー」の「鍵挿通孔の開口端縁に、先端の移動軌跡が鍵孔に挿入されたリバーシブルである合鍵のブレードの平面部と干渉する係合突起を一体に突設」することは、
　「ロータリーディスクタンブラー」の「鍵挿通孔の開口端縁に、先端の移動軌跡が鍵孔に挿入された」「合鍵のブレードの平面部と干渉する係合突起を一体に突設」する点で共通する。
　キ　甲５発明の「スプリング６２は、各々のロッキングディスク５８の突起７６を鍵に近接する方向に付勢」することは、本件特許発明の「各ロータリーディスクタンブラーをこの係合突起が合鍵に近接する方向に付勢する」ことに相当する。
　ク　甲５発明の「ロックシリンダー１６の周辺に設けられたリセス７０に受け入れられた縦に延びるサポートメンバー６８」は、本件特許発明の「内筒を軸線方向に貫通するバックアップピン」に相当し、
　甲５発明の「ロッキングディスク５８の周囲に形成した第２の肩７２が、ロックシリンダー１６の周辺に設けられたリセス７０に受け入れられた縦に延びるサポートメンバー６８に接触しており、鍵の挿入の前に、お互いに対してディスクの整列を引き起こ」すことは、
　本件特許発明の「各ロータリーディスクタンブラーを」「常態では内筒を軸線方向に貫通するバックアップピンに係止」することに相当する。
　ケ　甲５発明の「適切な鍵が錠１０に差し込まれたとき」、「突起７６」が「窪み８２」に係合し、「各ゲイティングノッチ５０は、他の全てのゲイティングノッチ５０に対して整列し、鍵が回されると、ロッキングバー４０は、リセス４２から、縦のスロット４４に整列した複数のゲイティングノッチ５０の中へとカム案内され」ることは、
　本件特許発明の「これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにした」ことに相当する。
　コ　甲５発明の「錠１０」は、本件特許発明の「ロータリーディスクタンブラー錠」に相当する。
　サ　甲５発明の「有底の擂り鉢形の窪み８２」は、本件特許発明の「有底で」「摺り鉢形の窪み」に相当し、
　甲５発明の「適切な鍵が錠１０に差し込まれたとき」、「ロッキングディスク５８」の「突出量が一定である突起７６」が係合する「異なった深さと大きさを有」する「有底の擂り鉢形の窪み８２を」「シャンク上に」有することは、
　本件特許発明の「鍵孔に挿入されたときロータリーディスクタンブラーの突出量が一定である前記係合突起の先端と整合するブレードの平面部に、有底で複数種類の大きさと深さの摺り鉢形の窪みを形成」することに相当する。
　シ　甲５発明の「適切な鍵が錠１０に差し込まれたとき」、「突起７６」が「異なった深さと大きさを有」する「窪み８２」に係合し、「各ゲイティングノッチ５０は、他の全てのゲイティングノッチ５０に対して整列し、鍵が回されると、ロッキングバー４０は、リセス４２から、縦のスロット４４に整列した複数のゲイティングノッチ５０の中へとカム案内され、ロックシリンダー１６を、複数のロッキングディスク５８と共に、外側ハウジング１４に対して回転させる」ことと、
　本件特許発明の「この窪みが対応する前記係合突起と係合したとき、該タンブラー群が前記摺り鉢形の窪みの深さやブレードの幅方向の位置に対応して揺動角度が変わることにより、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにした」こととは、
　甲１発明の「ロータリーディスクタンブラー」の支軸を中心とした「揺動」は、「回動」ともいえることを踏まえると、
　「この窪みが対応する係合突起と係合したとき、タンブラー群が摺り鉢形の窪みの深さに対応して回動角度が変わることにより、各ロータリーディスクタンブラーの解錠切欠がロッキングバーの内側縁と整合するようにし、以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにした」点で共通する。
　ス　そうすると、両者は、
「内周面の母線に沿って横断面形状が略Ｖ字形のカム溝を形成した外筒と、
この外筒に回転自在に嵌合し、間隙を介して中心軸線方向に積層された複数の仕切板を設けると共に、中心軸線に沿って鍵孔を貫通させた内筒と、
この内筒の母線に沿って延在し、内筒の外周部において半径方向に移動可能に案内されると共に、上記カム溝と係合する外側縁が外方に突出する方向に付勢されたロッキングバーとを有し、
上記仕切板の間の各スロットに、中央部に鍵孔を包囲し得る大きさの鍵挿通孔２６を形成した環状ロータリーディスクタンブラーを挿設し、
環状ロータリーディスクタンブラーの外周に解錠切欠を形成し、
一方、鍵挿通孔の開口端縁に、先端の移動軌跡が鍵孔に挿入された合鍵のブレードの平面部と干渉する係合突起を一体に突設し、各ロータリーディスクタンブラーをこの係合突起が合鍵に近接する方向に付勢すると共に、常態では内筒を軸線方向に貫通するバックアップピンに係止し、
他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたロータリーディスクタンブラー錠の合鍵であって、
鍵孔に挿入されたときロータリーディスクタンブラーの突出量が一定である前記係合突起の先端と整合するブレードの平面部に、有底で複数種類の大きさと深さの摺り鉢形の窪みを形成し、
この窪みが対応する前記係合突起と係合したとき、該タンブラー群が前記摺り鉢形の窪みの深さに対応して回動角度が変わることにより、各ロータリーディスクタンブラーの解錠切欠がロッキングバーの内側縁と整合するようにし、
以て、合鍵と一体的に内筒を回動させたさせたとき、カム溝とロッキングバーとの間に生じる楔作用によりロッキングバーを内筒中心軸方向に移動させ、内筒を外筒に対し相対回動できるようにしたロータリーディスクタンブラー錠用の鍵。」 
の点で一致し、次の点で相違する。 
 ＜相違点８＞
　環状ロータリーディスクタンブラーの回動機構、及び回動軸と係合突起、解錠切欠の突設位置に関し、
　本件特許発明では、環状ロータリーディスクタンブラーの実体部の１ヵ所を、内筒を軸線方向に貫通する支軸に揺動可能に軸支すると共に、鍵挿通孔の開口端縁に合鍵のブレードの平面部と干渉する係合突起を一体に突設し、鍵挿通孔を挟んで支軸と対峙するロータリーディスクタンブラーの実体部であり、円弧の一部をなす自由端部外側端縁に解錠切欠を形成したのに対し、
　甲５発明では、ロッキングディスク５８は、ロックシリンダー１６に対して回転可能であり、鍵と係合する突起７６が、ロッキングディスク５８の中央に形成された開口７４内へ実質的に半径の方向に延び、ロッキングディスク５８の外周にゲイティングノッチ５０を有する点。
＜相違点９＞
　鍵穴の構成に関し、本件特許発明では、内筒の中心軸線に対して点対称に形成されている鍵孔を有するのに対し、甲５発明では、そのような構成を有するか否か不明な点。
＜相違点１０＞
　合鍵の構造に関し、本件特許発明では、リバーシブルであるのに対し、甲５発明では、リバーシブルであるか否か不明な点。
＜相違点１１＞
　合鍵の窪みに関し、本件特許発明では、窪みが対応する係合突起と係合したとき、タンブラー群が摺り鉢形の窪みの深さやブレードの幅方向の位置に対応して揺動角度が変わるのに対し、
　甲５発明では、窪み８２が対応する突起７６と係合したとき、ロッキングディスク５８は、窪み８２の深さに対応して回動角度が変わるが、窪み８２のシャンクの幅方向の位置に対応して回動角度が変わるか否かは不明な点。
（２）判断
　ア　相違点９について
　まず、上記相違点９について検討すると、本件特許発明は「鍵」であり、錠の構成要素である鍵穴の構成の差異によって鍵自体の構成に差異が生じるものではないから、上記相違点９は、実質的に相違点ではない。
　イ　相違点１０について
　鍵をリバーシブルとすることは、甲第２号証及び甲第６号証に記載のように周知技術であり（上記１（２）及び（６）を参照。）、甲５発明において、鍵をリバーシブルとすること、すなわち上記相違点１０に係る本件特許発明の構成とすることは、当業者が適宜なし得ることである。
　ウ　相違点８及び１１について
　上記相違点８及び１１について併せて検討する。
（ア）本件特許発明における上記相違点８及び１１に係る構成により、錠の係合突起の先端と合鍵のブレード平面部に形成された対応する窪みとの関係は、上記２（２）ウ（ア）における検討と同様に、係合突起の先端が深い窪みに入るほどブレードの平面幅方向中心にずれるものであり、係合突起と係合する鍵の窪みの位置と深さは、鍵のブレードの中心に寄るものほど深くなり、支軸を中心とする円弧に沿っている。
　すなわち、鍵の窪みの深さに応じてその位置がブレードの幅方向において微妙に変化することとなる。
（イ）他方、甲５発明では、窪み８２の深さに応じてロッキングディスク５８の回動角度が変わるものであるが、ロッキングディスク５８は、ロックシリンダー１６に対して回転可能であり、鍵と係合する突起７６が、ロッキングディスク５８の中央に形成された開口７４内へ実質的に半径の方向に延びるから、突起７６と係合する鍵の窪み８２の位置と深さは、鍵のシャンクの中心に寄るものほど浅くなり、ロックシリンダー１６の中心軸線を中心とする円弧に沿うことになるものと解される。
　なお、そもそも甲第５号証には、窪み８２の深さを異なるものとすることは記載されているが、上述のように、窪み８２の位置と深さが、鍵のシャンクの中心に寄るものほど浅くなり、ロックシリンダーの中心軸線を中心とする円弧に沿うものであることを認識するような記載はない。
（ウ）上記（ア）及び（イ）の検討を踏まえると、上記相違点８及び１１は、鍵の構成の相違としては以下のように言い換えることができる。
＜相違点（８、１１）＞
　鍵の窪みの深さとブレードの幅方向の位置は、
　本件特許発明では、係合突起と係合する窪みの位置と深さは、支軸を中心とする円弧に沿ったものであるのに対し、
　甲５発明では、突起７６と係合する窪み８２の位置と深さは、ロックシリンダー１６の中心軸線を中心とする円弧に沿ったものである点。
（エ）そこで、上記相違点（８、１１）について、改めて検討する。
　その実体部の１ヵ所を内筒を軸線方向に貫通する支軸に揺動可能に軸支するレバータンブラーは、甲第２ないし４号証に記載のように周知技術である（上記１（２）ないし（４）を参照。）。
　しかし、甲５発明のロッキングディスク５８は、ロックシリンダー１６の中心軸線に対して回転可能であって、上記周知技術のレバータンブラーとは、その形状及び動作機構（揺動軸又は回動軸と係合突起と解錠切欠との位置関係等）が異なること、並びに甲第２ないし４号証に記載された合鍵は、いずれもタンブラーに突設した係合突起と係合する窪みをブレードの平面部に形成したものでもないことに照らせば、甲５発明において、上記相違点（８、１１）の構成とすることが当業者にとって容易であるとすることはできない。
　また、甲第１号証、甲第６号証ないし甲第１２号証は、複数種類の大きさと深さを有する擂り鉢状の窪みを設けた鍵が周知であること、リバーシブルの鍵が周知であること、又は点対称の鍵穴が周知であることの根拠として提示されたものであり、甲第１４号証及び甲第１５号証は、点対称の鍵穴が周知であることの根拠として提示されたものであって、それらに記載された事項（上記１（１）、（６）〜（１２）、（１４）及び（１５）を参照。）も、甲５発明において、上記相違点（８、１１）に係る本件特許発明の構成とすることを教示するものではない。
　エ　請求人の主張について
　請求人は、上記相違点（８、１１）に係る本件特許発明の構成に関し、本件特許発明は「鍵」であり、錠の構成である支軸によって鍵の構成に差異が生じるものではなく、実質的に相違点ではない旨、及び甲５発明においても鍵の窪みは、その深さとブレードの幅方向の位置が、揺動による円弧に沿ったものである旨主張するが、上記ウのとおりであっていずれも採用できない。
（３）小括
　以上のとおりであるから、本件特許発明は、甲５発明、甲第１号証、甲第６号証、甲第１４号証及び甲第１５号証に記載された周知技術、甲第２号証ないし甲第４号証に記載された周知技術、甲第２号証、甲第６号証及び甲第８号証に記載された周知技術、並びに甲第１号証及び甲第６号証ないし甲第１２号証に記載された周知技術に基づいて当業者が容易に発明をすることができたものとはいえない。
第７　むすび
　以上のとおりであるから、審判請求人の主張する無効理由によっては、本件特許発明の特許を無効とすることはできない。
　審判費用については、特許法第１６９条第２項の規定において準用する民事訴訟法第６１条の規定により、請求人の負担とする。
　よって、結論のとおり審決する。